(57)【要約】      （修正有）【課題】負荷に電力供給するためのシステムおよび方法を提供する。【解決手段】光制御システムは、電力変換器、光源、センサーおよび制御装置を含む。電力変換器は、電源から受け取った入力電力を供給電力に変換することができ、供給電力の電気的パラメーターを調整可能に制御する力率改善回路（ＰＦＣ）を含む。光源は、供給電力を使用して、電気的パラメーターに関連した強度で光を発する。センサーは、光源の動作に関連する状態を感知する。制御装置は、ＰＦＣとセンサーとに通信可能に結合されており、センサーから、状態に関連した入力パラメーターを指示するセンサー信号を受け取り、センサー信号に基づいて、ＰＦＣにフィードバックを提供して、ＰＦＣに、入力パラメーターに基づいて供給電力の電気的パラメーターを調整させる。【選択図】図１
2019176719.tif 000002
【特許請求の範囲】
【請求項１】
電源（116、616）から受け取った入力電力を供給電力に変換する電力変換器（114、614）であって、前記電力変換器（114、614）が、前記供給電力の電気的パラメーターを調整可能に制御するように構成された力率改善回路（PFC）（130、330、430）を含む電力変換器（114、614）と、
前記供給電力を使用して、前記供給電力の前記電気的パラメーターに関連した強度で光を発する光源（110）と、
前記光源（110）の動作に関連した状態を感知するセンサー（138、140、640、678、680）と、
前記PFC（130、330、430）と前記センサー（138、140、640、678、680）とに通信可能に結合された制御装置（136、636）であって、前記制御装置（136、636）が、
前記センサー（138、140、640、678、680）から、前記センサー（138、140、640、678、680）によって感知された前記状態に関連した入力パラメーターを指示するセンサー信号を受け取り、
センサー信号に基づいて、前記PFC（130、330、430）にフィードバック信号を提供して、前記PFC（130、330、430）に、前記入力パラメーターに基づいて前記供給電力の前記電気的パラメーターを調整させる、
ように構成される制御装置（136、636）と
を含む、光制御システム（100、600、799、800）。
【請求項２】
前記センサー（138、140、640、678、680）が、前記光源（110）によって発せられた前記光を感知するように構成された光センサー（138）であり、
前記入力パラメーターが、前記光源（110）によって発せられた前記光の放射照度、前記光源（110）の電圧レベル、前記光源（110）の有効性レベル、前記光源（110）の機齢、または前記光源（110）の動作周波数のうちの少なくとも1つに関連したものである、請求項1に記載の光制御システム（100、600、799、800）。
【請求項３】
前記センサー（138、140、640、678、680）が、前記光源（110）が前記光を発する環境の占有状態を感知するように構成されたトリガーセンサー（140、640）であり、
前記入力パラメーターが、前記トリガーセンサー（140、640）によって感知された前記占有状態に関連したものである、請求項1または2に記載の光制御システム（100、600、799、800）。
【請求項４】
前記PFC（130、330、430）が、
前記電源（116、616）から前記入力電力を受け取るように構成された第1のPFC入力（346、446）と、
フィードバック回路（352、452）から信号を受け取るように構成された第2のPFC入力（348、448）と、
前記第1のPFC入力（346、446）における前記入力電力と前記第2のPFC入力（348、448）における前記信号とに基づくものである直流電力を出力するように構成されたPFC出力（350、450）と、
を含み、
前記フィードバック回路（352、452）が、前記PFC出力（350、450）と前記第2のPFC入力（348、448）とに結合されており、
前記第2のPFC入力（348、448）で前記フィードバック回路（352、452）によって提供される前記信号が前記入力パラメーターに基づくものである、請求項1から3のいずれか一項に記載の光制御システム（100、600、799、800）。
【請求項５】
前記フィードバック回路（352、452）が、
第1の反転入力（356A、456A）、第1の非反転入力（356B、456B）、および第1の出力（356C、456C）を含む第1の演算増幅器（オペアンプ）（356、456）であって、前記第1のオペアンプ（356、456）の前記第1の出力（356C、456C）が前記第2のPFC入力（348、448）に結合されており、前記第1のオペアンプ（356、456）の前記第1の反転入力（356A、456A）が前記PFC出力（350、450）に結合されている、第1のオペアンプ（356、456）と、
第2の反転入力（362A、462A）、第2の非反転入力（362B、462B）、および第2の出力（362C、462C）を含む第2のオペアンプ（362、462）であって、前記第2のオペアンプ（362、462）の前記第2の出力（362C、462C）が、前記第1のオペアンプ（356、456）の前記第1の非反転入力（356B、456B）に結合されており、前記第2のオペアンプ（362、462）の前記第2の反転入力（362A、462A）が接地（364、464）に結合されている、第2のオペアンプ（362、462）と、
前記第2のオペアンプ（362、462）の前記第2の非反転入力（362B、462B）に結合された論理回路（360、460）であって、前記論理回路（360、460）が、前記第2のオペアンプ（362、462）の前記第2の非反転入力（362B、462B）に基準電圧を供給するように構成され、前記論理回路（360、460）が、前記入力パラメーターに基づいて複数の基準電圧の中から前記基準電圧を選択するように構成される、論理回路（360、460）と
を含む、請求項4に記載の光制御システム（100、600、799、800）。
【請求項６】
前記電力変換器（114、614）が、前記PFC（130、330、430）の前記PFC出力（350、450）に結合され、前記制御装置（136、636）に通信可能に結合されたパルス幅変調器（PWM）（134）をさらに含み、
前記PWM（134）が、前記直流電力を交流（AC）電力に変換するように構成され、
前記制御装置（136、636）が、前記PWM（134）に前記フィードバック信号を提供して、前記PWM（134）に、前記入力パラメーターに基づいて前記供給電力の前記電気的パラメーターを調整させるように構成される、請求項1から5のいずれか一項に記載の光制御システム（100、600、799、800）。
【請求項７】
前記制御装置（136、636）と通信するスイッチ（142A、142B、142C）
をさらに含み、
前記センサー（138、140、640、678、680）が、オーバーライド状態を検出するように構成されるトリガーセンサー（140、640）を含み、
前記制御装置（136、636）が、前記トリガーセンサー（140、640）が前記オーバーライド状態を検出したことに応答して、前記光源（110）が前記供給電力を受け取るのを妨げるように前記スイッチ（142A、142B、142C）を切り換えるようにさらに構成される、請求項1から6のいずれか一項に記載の光制御システム（100、600、799、800）。
【請求項８】
時間間隔中に電源（116、616）から入力電力を受け取るように構成された入力（118、618）と、
時間間隔の第1の部分の間に入力（118、618）で受け取った入力電力を使用して電力を蓄積するように構成された電力バッファ（128）と、
時間間隔の第2の部分の間に供給電力を出力するように構成された出力（120、620）であって、供給電力が、（i）時間間隔の第2の部分の間に入力（118、618）で受け取った入力電力と（ii）時間間隔の第1の部分の間に電力バッファ（128）に蓄積された電力とからの電力の組み合わせを含む、出力（120、620）と
入力（118、618）と出力（120、620）との間の力率改善回路（PFC）（130、330、430）であって、PFC（130、330、430）が、入力パラメーターに基づいて供給電力の電気的パラメーターを調整するように構成される、PFC（130、330、430）と
を含む、電力変換器（114、614）と、
時間間隔の第2の部分の間の供給電力を使用して、目標強度で光を発する光源（110）と
を含み、
時間間隔の第2の部分の間に受け取られる入力電力が、それ自体では、光源（110）が目標強度で光を発するには不十分である、光制御システム（100、600、799、800）。
【請求項９】
電源（116、616）から受け取った入力電力を供給電力に変換する電力変換器（114、614）であって、前記電力変換器（114、614）が、前記供給電力の電気的パラメーターを調整可能に制御するように構成された1つまたは複数の電力制御モジュール（628、630、634）を含む、電力変換器（114、614）と、
負荷（610）の動作に関連した状態を感知するセンサー（138、140、640、678、680）と、
前記1つまたは複数の制御モジュール（628、630、634）に通信可能に結合された制御装置（136、636）であって、前記制御装置（136、636）が、
前記センサー（138、140、640、678、680）から、前記センサー（138、140、640、678、680）によって感知された前記状態に関連した入力パラメーターを指示するセンサー信号を受け取り、
センサー信号に基づいて、前記1つまたは複数の電力制御モジュール（628、630、634）にフィードバック信号を提供して、前記1つまたは複数の電力制御モジュール（628、630、634）に、前記入力パラメーターに基づいて前記供給電力の前記電気的パラメーターを調整させる
ように構成される、制御装置（136、636）と
を含む、前記負荷（610）に電力を供給するためのシステム（100、600、799、800）。
【請求項１０】
前記1つまたは複数の電力制御モジュール（628、630、634）が、前記入力電力を受け取り、出力（786）で前記供給電力として第1の調整可能な電力を供給するように構成された第1の電力制御モジュール（630）を含み、
前記第1の電力制御モジュール（630）が、前記電源（116、616）から前記入力電力を受け取るように構成された第1の入力（782）と、フィードバックモジュール（652）から信号を受け取るように構成された第2の入力（784）と、前記供給電力を出力するように構成された前記出力（786）とを含み、
前記フィードバックモジュール（652）が、前記出力（786）と前記第2の入力（784）とに結合されており、
前記フィードバックモジュール（652）が、前記入力パラメーターに基づいて前記第2の入力（784）で前記信号を提供するように構成される、請求項9に記載のシステム（100、600、799、800）。
【発明の詳細な説明】
【技術分野】
【０００１】
関連出願の相互参照
本開示は、一般に、負荷に電力供給するためのシステムおよび方法に関し、より詳細には、負荷の動作に影響を及ぼし得る状態に基づいて負荷に供給される電力を動的に調整するためのシステムおよび方法に関する。そのような負荷には、紫外線（UV）光源などの調整可能な電源から利益を得ることができる負荷が含まれ得る（がこれに限定されない）。
【背景技術】
【０００２】
病原体は、多様なあり方で、人間間、動物間、または人間と動物との間で伝播し得る。その結果として、公共環境の消毒の必要性が高まっている。環境を消毒するための1つの手法は、紫外線（ultraviolet（UV））光源を使用して環境に紫外線を照射することを伴う。
【発明の概要】
【課題を解決するための手段】
【０００３】
一例では、光制御システムが説明される。光制御システムは、電源から受け取った入力電力を供給電力に変換するように構成された電力変換器を含む。電力変換器は、供給電力の電気的パラメーターを調整可能に制御するように構成された力率改善回路（power factor corrector（PFC））を含む。光制御システムはまた、供給電力を使用して、供給電力の電気的パラメーターに関連した強度で光を発するように構成された光源も含む。光制御システムは、光源の動作に関連した状態を感知するように構成されたセンサーをさらに含む。加えて、光制御システムは、PFCとセンサーとに通信可能に結合された制御装置も含む。制御装置は、（i）センサーから、センサーによって感知された状態に関連した入力パラメーターを指示するセンサー信号を受け取り、（ii）センサー信号に基づいて、PFCにフィードバック信号を提供して、PFCに、入力パラメーターに基づいて供給電力の電気的パラメーターを調整させる、ように構成される。
【０００４】
別の例では、光制御システムは電力変換器と光源とを含む。電力変換器は、入力、電力バッファ、出力、およびPFCを含む。入力は、時間間隔中に電源から入力電力を受け取るように構成される。電力バッファは、時間間隔の第1の部分の間に入力で受け取った入力電力を使用して電力を蓄積するように構成される。出力は、時間間隔の第2の部分の間に供給電力を出力するように構成される。供給電力は、（i）時間間隔の第2の部分の間に入力で受け取った入力電力と（ii）時間間隔の第1の部分の間に電力バッファに蓄積された電力とからの電力の組み合わせを含む。PFCは入力と出力との間にある。PFCは、入力パラメーターに基づいて供給電力の電気的パラメーターを調整するように構成される。
【０００５】
光源は、時間間隔の第2の部分の間の供給電力を使用して、目標強度で光を発するように構成される。時間間隔の第2の部分の間に受け取られる入力電力は、それ自体では、光源が目標強度で光を発するには不十分である。
【０００６】
別の例では、負荷に電力を供給するためのシステムが説明される。このシステムは、電力変換器と、センサーと、制御装置とを含む。電力変換器は、電源から受け取った入力電力を供給電力に変換するように構成される。電力変換器は、供給電力の電気的パラメーターを調整可能に制御するように構成された1つまたは複数の電力制御モジュールを含む。センサーは、負荷の動作に関連した状態を感知するように構成される。制御装置は、1つまたは複数の電力制御モジュールに通信可能に結合されている。制御装置は、（i）センサーから、センサーによって感知された状態に関連した入力パラメーターを指示するセンサー信号を受け取り、（ii）センサー信号に基づいて、1つまたは複数の電力制御モジュールにフィードバック信号を提供して、1つまたは複数の電力制御モジュールに、入力パラメーターに基づいて供給電力の電気的パラメーターを調整させる、ように構成される。
【０００７】
以上で論じた特徴、機能、および利点は、様々な実施形態において独立して達成されてもよく、またはさらに別の実施形態において組み合わせられてもよく、そのさらなる詳細は以下の説明および図面を参照すれば理解することができる。
【０００８】
例示的な実施形態の特徴であると考えられる新規の特徴は添付の特許請求の範囲に記載されている。しかしながら、例示的な実施形態、ならびにその好ましい使用モード、さらなる目的および説明は、本開示の例示的な実施形態の以下の詳細な説明を添付の図面と併せて読めば最もよく理解されるであろう。
【図面の簡単な説明】
【０００９】
【図１】一例示的実施形態による光制御システムを示す簡略ブロック図である。
【図２】一例示的実施形態による力率改善回路を示す回路図である。
【図３】別の例示的実施形態による力率改善回路を示す回路図である。
【図４】別の例示的実施形態による力率改善回路を示す回路図である。
【図５】一例示的実施形態による電力バッファを示す簡略ブロック図である。
【図６】別の例示的実施形態による負荷に電力を供給するためのシステムを示す簡略ブロック図である。
【図７】別の例示的実施形態による負荷に電力を供給するためのシステムを示す簡略ブロック図である。
【図８】別の例示的実施形態による負荷に電力を供給するためのシステムを示す簡略ブロック図である。
【図９】一例示的実施形態による紫外線光源を動作させるための例示的なプロセスを示すフローチャートである。
【図１０】図9に示すプロセスで使用できる紫外線光源を動作させるための例示的なプロセスを示すフローチャートである。
【図１１】図10に示すプロセスで使用できる紫外線光源を動作させるための例示的なプロセスを示すフローチャートである。
【図１２】図9〜図11に示すプロセスで使用できる紫外線光源を動作させるための例示的なプロセスを示すフローチャートである。
【図１３】図12に示すプロセスで使用できる紫外線光源を動作させるための例示的なプロセスを示すフローチャートである。
【図１４】図13に示すプロセスで使用できる紫外線光源を動作させるための例示的なプロセスを示すフローチャートである。
【図１５】図12〜図14に示すプロセスで使用できる紫外線光源を動作させるための例示的なプロセスを示すフローチャートである。
【発明を実施するための形態】
【００１０】
次に開示の実施形態について、添付の図面を参照して以下でさらに十分に説明する。添付の図面には、開示の実施形態の全部ではなく一部が示されている。実際、いくつかの異なる実施形態を示すことが可能であり、それらは本明細書に記載の実施形態に限定されると解釈されるべきではない。むしろ、これらの実施形態は、本開示が十分かつ完全であり、当業者に本開示の範囲を十分に伝えるように記載されている。
【００１１】
本開示のシステムおよび方法は、例えば、経時的に、かつ／または一連の負荷の作動サイクルにわたって目標レベルの動作出力で負荷を動作させるために、動的に調整可能なレベルの電力を負荷に供給するための電源制御システムを提供する。以下でさらに詳細に説明するように、いくつかの例では、例えば、負荷の変化および／または負荷が動作する環境における状態の変化が原因で負荷に動作出力が低下することがある。本開示のシステムおよび方法は、そのような変化を感知し、電源制御システムの1つまたは複数の構成要素にフィードバックを提供して、負荷に供給される供給電力の電気的パラメーターを動的に調整することができる。このようにして、本願のシステムおよび方法は、経時的に、かつ／または一連の作動サイクルにわたって負荷および／または環境の変化を補償することができる。
【００１２】
いくつかの例では、本開示のシステムおよび方法は、一連の作動サイクルにわたって目標抗菌効果レベルを達成するように紫外線光源を動作させるための光制御システムおよび光制御方法を提供する。作動サイクル中に作動すると、紫外線光源は紫外線を発し、紫外線は細菌、ウイルス、カビ、および／または他の病原体などの微生物を殺傷し、かつ／または無効化することができる。例えば、微生物が十分に高い線量の紫外線に曝露されると、紫外線は核酸を損傷し、かつ／または微生物のデオキシリボ核酸（DNA）を破壊して、微生物が細胞機能を実行して人に感染することを不可能にすることができる。
【００１３】
作動サイクル中の紫外線の抗菌効果は、例えば、微生物が紫外線に曝露される時間の長さ（すなわち「露光時間」）、紫外線の強度、紫外線の波長などの要因に関連したものである。一例として、特定の波長での紫外線の抗菌効果を紫外線量として指定することができ、これは次の一般形式を有する式に基づいて決定することができ、
紫外線量＝紫外線強度×露光時間（式1）
式中、紫外線量はmWs／cm2単位で指定され、紫外線強度は、紫外線光源から所定の距離（例えば、1メートル）におけるmW／cm2単位で指定され、露光時間は秒単位で指定される。
【００１４】
経時的に、紫外線光源によって発せられる紫外線の強度は、例えば、ランプルーメン減光償却（lamp lumen depreciation（LLD））および／またはランプ汚損減光償却（lamp dirt depreciation（LDD））が原因で低下する。例えば、LLDは、複数の作動サイクルにわたる、紫外線光源内に光吸収粒子を堆積させ得る化学反応によって引き起こされる可能性がある。一方、LDDは、紫外線光源の外面上のデブリ（例えば、汚れおよび／または塵埃粒子）の蓄積によって引き起こされる可能性があり、デブリの蓄積は紫外線放射を阻む。
【００１５】
加えて、例えば、紫外線光源によって発せられる紫外線の強度は、紫外線光源の温度の影響を受ける可能性もある。例えば、紫外線光源の温度は、紫外線光源が動作している環境の周囲温度の変化が原因で、かつ／または紫外線光源自体の動作の結果として生じる熱が原因で変動する可能性がある。したがって、紫外線光源の強度が複数の作動サイクルにわたって変化するので、紫外線光源の寿命全体にわたって目標抗菌効果レベルを維持することは困難であり得る。他の環境要因もまた、紫外線光源の寿命にわたって紫外線光源の動作に影響を及ぼし得る。
【００１６】
本明細書に記載される例示的なシステムおよび方法は、複数の作動サイクルおよび／または紫外線光源の寿命にわたって、目標抗菌効果レベルで紫外線光源を動作させる課題を有利に克服することができる。特に、本システムおよび方法は、一連の作動サイクルにわたって紫外線の強度および／または他の動作状態の変化を補償するために紫外線光源に提供される供給電力の電気的パラメーターを動的に調整することができる。
【００１７】
例では、光制御システムは、電力変換器と、光源と、1つまたは複数のセンサーと、制御装置とを含むことができる。電力変換器は光源に、光源が一連の作動サイクル中に光を発するために使用できる供給電力を供給することができる。（1つまたは複数の）センサーは、光源の動作に関連した状態を感知し、（1つまたは複数の）センサーによって感知された状態に関連した入力パラメーターを指示するセンサー信号を制御装置に提供することができる。制御装置は、電力変換器にフィードバック信号を提供して、電力変換器に、入力パラメーターに基づいて供給電力の電気的パラメーターを調整させることができる。
【００１８】
また、例では、電力変換器は、電源から受け取った入力電力を、電気的パラメーターを有する供給電力に変換するように動作する複数のモジュールを含むことができる。いくつかの例では、制御装置は、光源の動作に影響を及ぼし得る動作状態の変化に応答して、電源の電気的パラメーターを調整するために、それら（1つまたは複数の）モジュールのうちの1つまたは複数に選択的にフィードバック信号を提供することができる。加えて、以下でさらに詳細に説明するように、例示的実施形態では、制御装置は、（1つもしくは複数の）センサーから分離したものとすることもでき、かつ／またはセンサーと一体化することもできる。よって、（1つまたは複数の）センサーは、動作状態を感知し、それに応答して、供給電力の電気的パラメーターを調整するために、電力変換器のモジュールと、直接的および／または間接的に通信することができる。
【００１９】
また、例では、本願のシステムおよび方法は、電力が限られた環境において紫外線光源（または別の負荷）の動作を可能にすることができる。紫外線光源は電力を紫外線に変換するので、紫外線光源は、目標抗菌効果レベルを提供する強度で、かつ／または目標抗菌効果レベルを提供する露光時間にわたって紫外線を発するために少なくとも閾値電力量を必要とし得る。目標抗菌効果レベルで紫外線を発するのに必要とされる閾値電力量は、例えば、紫外線光源のタイプ、および／または紫外線光源のサイズなどの紫外線光源の特性に基づくものであり得る。
【００２０】
電力が限られた環境では、電源および／または配電システムは、それ自体では、目標抗菌効果レベルで（例えば、目標紫外線強度で）紫外線を発するように紫外線光源を作動させるには不十分な電力を供給する場合がある。一例では、紫外線光源を、目標抗菌効果レベルで紫外線を発するために紫外線光源によって必要とされる閾値電力量よりも小さい電力を発生するように構成された電源に結合することができる。例えば、紫外線光源を、電源のサイズおよび／または重量を低減（または最小化）することが望ましい環境に設置することができる。
【００２１】
別の例では、電源は十分な電力量を発生するように構成され得るが、配電システムは、紫外線光源がその電力のうちの不十分な部分だけしか利用できないように、発生した電力の部分を他のシステムにも供給し得る。例えば、ビークルは、電力バジェットに従ってビークルの様々なサブシステムに電源によって供給される電力の特定の部分を供給する配電システムを備えることができる。このようにして、各サブシステムはその必要を満たすのに十分な量の電力を受け取る。しかしながら、ビークルに紫外線光源が後付けされることになる場合には問題が提起される。というのは、電力バジェットと配電システムが設計されたときに、紫外線光源の電力要件が考慮に入れられていなかった可能性があるからである。
【００２２】
上記のように、本明細書に記載されるシステムおよび方法はまた、電力が限られた環境（例えば、ビークルおよび／または航空機のトイレ）において目標抗菌効果レベルで紫外線光源を動作させる課題を有利に克服することもできる。例えば、例では、光制御システムは、時間間隔中に電源から入力電力を受け取ることができる。光制御システムの紫外線光源は時間間隔の第1の部分の間に停止し、紫外線光源は時間間隔の第2の部分の間に紫外線を発するように作動する。しかしながら、時間間隔の第2の部分の間に受け取られる入力電力は、それ自体では、目標抗菌効果レベルで紫外線を発するように紫外線光源を作動させるには不十分である。
【００２３】
入力電力のこの限界に対処するために、光制御システムは、時間間隔の第1の部分の間に入力電力を電力バッファに蓄積することができる。後で、時間間隔の第2の部分の間に、光制御システムは、（i）時間間隔の第2の部分の間に受け取った入力電力と（ii）時間間隔の第1の部分の間に電力バッファに蓄積した電力とを組み合わせた供給電力を紫外線光源に供給することができる。この組み合わされた電力は、目標抗菌効果レベルで紫外線を発するように紫外線光源を作動させるのに十分である。
【００２４】
例では、本明細書に記載される光制御システムを、消毒から利益を得ることができる、電源を有する任意の環境に配置することができる。例えば、光制御システムは、ビークル（例えば、航空機、ボート、列車、自動車、無人ビークル、地上と地上以外の両方の能力を有する輸送ビークル、および／もしくは航空貨物ビークル）、医療環境（例えば、病院、医院、および／もしくは他の医療施設）、レストラン、事務所、ならびに／または家庭に配置することができる。一実施態様では、光制御システムは、ビークル（例えば、飛行機）のトイレに配置することができる。
【００２５】
次に図1を参照すると、一例示的実施形態による光制御システム100が示されている。図1に示すように、光制御システム100は紫外線光源110を含む。作動すると、紫外線光源110は、目標抗菌効果レベルを提供するために紫外線112を発することができる。例えば、紫外線光源110は、作動サイクル中に目標抗菌効果レベルを達成するために、所定の露光時間にわたって所定の波長および強度で紫外線112を発することができる。一例では、紫外線光源110は、作動サイクルの目標抗菌効果レベルを達成するために、10秒間の露光時間にわたって10mW／cm2の強度で紫外線112を発することができる。
【００２６】
また、例として、紫外線光源110は、1つまたは複数のエキシマー電球、水銀灯、ダウンシフト蛍光灯、エキシマーレーザー、有機発光ダイオード（organic light emitting diode（OLED））、および／または発光ダイオード（light emitting diode（LED））を含むことができる。より一般的には、紫外線光源110は、紫外スペクトル内の波長（すなわち、約10ナノメートル（nm）〜約400nm）で紫外線112を発する光源とすることができる。いくつかの実施態様では、紫外線光源110は、遠紫外スペクトル内の波長（例えば、約190nm〜約240nm）で紫外線112を発する光源とすることができる。例えば、一実施態様では、紫外線光源110は、約222nmの波長で紫外線112を発する光源とすることができる。遠紫外スペクトルの波長で紫外線112を発することによって、紫外線光源110は、紫外スペクトルの他の波長で紫外線112を発するよりも迅速に環境を消毒することができる。
【００２７】
図1に示すように、光制御システム100はまた、紫外線光源110に結合された電力変換器114も含む。電力変換器114は、入力118で電源116から入力電力を受け取り、出力120で紫外線光源110に供給電力を出力する。一例として、電源116は入力電力を交流（alternating−current（AC））電力として供給することができる。一実施態様では、電源116は入力電力を、115ボルト（V）の電圧および400ヘルツ（Hz）の周波数を有する三相交流電力として供給することができる。例えば、ビークルでは、電源116は、電気エネルギーを発生するエンジンタービンと、発生した電気エネルギーを入力電力の形で光制御システム100に供給する配電システムとを含むことができる。他の例示的な電源116も可能である。
【００２８】
電力変換器114は、入力電力を供給電力に変換する。例では、供給電力は入力電力と異なる交流波形を有し得る。例えば、供給電力は入力電力と異なる周波数、電圧、および／または電流を有し得る。より一般的には、供給電力は入力電力のワット数よりも大きいワット数を有し得る。よって、電力変換器114は紫外線光源110に、目標抗菌効果レベルで紫外線112を発するのに十分な供給電力を供給することができる。一例では、入力電力は1kW未満のワット数を有することができ、供給電力は1kW以上のワット数を有することができる。
【００２９】
図1で、電力変換器114は、入力118、整流器122、直流（DC）リンク124、インバーター126、電力バッファ128、および出力120を含む。整流器122は、入力118に結合されており、入力118から入力電力を受け取る。整流器122は、交流入力電力を直流電力に変換することができる。一例では、整流器122は、光制御システム100による入力電力のより効率的な使用を容易にするために入力電力の力率を改善する力率改善回路（PFC）130を含む。PFC130はまた、電源116（および／または電源116に結合された他の電気サブシステム）からの光制御システム100の隔離も容易にすることができる。例では、PFC130は、パッシブPFC回路、アクティブPFC回路、および／またはダイナミックPFC回路を含むことができる。
【００３０】
整流器122は、直流リンク124を介してインバーター126に結合されている。以下でさらに詳細に説明するように、紫外線光源110が作動すると、インバーター126は整流器122から受け取った直流電力を交流電力に変換し、交流電力は出力120で供給電力の一部分を供給する。直流リンク124は、整流器122とインバーター126との結合を容易にする。一例では、直流リンク124は、整流器122とインバーター126との間に並列に結合されたコンデンサーを含むことができる。直流リンク124は、電源116に向かって伝播する過渡電流を緩和するのを助け、かつ／または整流器122によって供給される整流された直流電力のパルスを平滑化するのを助けることができる。
【００３１】
図1に示すように、電力バッファ128は、整流器122と直流リンク124との間と、直流リンク124とインバーター126との間とに並列に結合されている。電力バッファ128は、紫外線光源110が停止したときに入力118で受け取った入力電力を使用して電力を蓄積する。例として、電力バッファ128は、電池、コンデンサー、および／または別の種類のエネルギー蓄積装置を含むことができる。
【００３２】
図1の例では、電力バッファ128は互いに結合された複数の直流・直流変換器132を含む。紫外線光源110が停止すると、直流・直流変換器132は整流器122から直流電力を受け取る。一実施態様では、直流・直流変換器132は、整流器122から受け取った直流電力を降圧する第1の直流・直流変換器と、直流電力を昇圧する第2の直流・直流変換器とを含む。直流・直流変換器132のこの構成により、電力バッファ128のサイズおよび／または重量を有利に低減（または最小化）することができる。
【００３３】
上記のように、インバーター126は整流器122と電力バッファ128とに結合されている。この構成では、紫外線光源110が作動すると、インバーター126は、整流器122からの直流電力と電力バッファ128に蓄積された電力とを受け取ることができる。インバーター126は、整流器122と電力バッファ128とからの直流電力のこの組み合わせを、交流波形を有する供給電力に変換することができる。一例では、インバーター126はパルス幅変調器（PWM）134を含むことができ、PWM134はスイッチをオンとオフに切り換えて供給電力の周波数を制御することができる。別の例では、インバーター126は、これに加えて、または代替として、直流電力の組み合わせを供給電力に変換するために正弦波発生器および／または搬送波発生器を含むこともできる。
【００３４】
図1にさらに示すように、光制御システム100は、電力変換器114に通信可能に結合された制御装置136、光センサー138、および1つまたは複数のトリガーセンサー140も含むことができる。一般に、制御装置136は、（i）光制御システム100の動作に関連した情報を受け取るために光センサー138および／もしくは（1つもしくは複数の）トリガーセンサー140と通信し、かつ／または（ii）光センサー138および／もしくは（1つもしくは複数の）トリガーセンサー140から受け取った情報に基づいて光制御システム100の動作を制御するために電力変換器114と通信することができる。以下でさらに詳細に説明するように、制御装置136は、これに加えて、または代替として、光センサー138、（1つもしくは複数の）トリガーセンサー140、および／または光制御システム100の他の構成要素に組み込むこともできる。
【００３５】
いくつかの例では、制御装置136は、紫外線光源110を作動させることによって光制御システム100の動作を制御することができる。例えば、一例では、（1つまたは複数の）トリガーセンサー140は、1つまたは複数のトリガー状態を検出し、それに応答して（1つまたは複数の）トリガー状態が検出されたことを指示するトリガーセンサー信号を生成することができる。制御装置136は、（i）トリガー状態が検出されたことを指示するトリガーセンサー信号を受け取り、（ii）トリガーセンサー信号に基づいて、1つまたは複数の基準が満たされたと判断し、（iii）1つまたは複数の基準が満たされたという判断に応答して、紫外線光源110を作動させる制御信号を送ることができる。
【００３６】
例として、（1つもしくは複数の）トリガーセンサー140は、動きセンサー、占有センサー、熱センサー、ドア開閉センサー、赤外線センサー装置、超音波センサー装置、床圧力センサー、および／または他の種類のセンサーを含むことができる。例えば、光制御システム100がトイレのあるビークルに配置されている例では、（1つもしくは複数の）トリガーセンサー140によって検出される（1つまたは複数の）トリガー状態は、トイレのドアが開いている、トイレのドアが閉まっている、トイレが使用されている、および／またはトイレが使用されていない、を含むことができる。加えて、制御装置136によって紫外線光源110を作動させるかどうかを判断するのに使用される1つまたは複数の基準は、トイレのドアが閉まっている、トイレが使用されていない、前に紫外線光源110が作動してからトイレが所定の回数使用された、および／または前に紫外線光源110が作動してから所定の時間量が経過した、などの1つまたは複数の基準を含むことができる。
【００３７】
さらに別の、または代替の例では、（1つまたは複数の）トリガーセンサー140は、電力変換器114の1つまたは複数の構成要素の動作に関連したパラメーターを感知するように構成することができる。例えば、（1つまたは複数の）トリガーセンサー140は、電力バッファ128に蓄積された電力量を測定するためのセンサーを含むことができる。そのような例では、（1つまたは複数の）トリガーセンサー140は、電力量が電力バッファ128に蓄積されていることを指示するトリガーセンサー信号を生成することができ、制御装置136は、指示された電力量が作動サイクル中に目標抗菌効果レベルで紫外線光源110を作動させるのに十分であるかどうか判断することができる。例えば、制御装置136は、トリガーセンサー信号によって指示された電力量を、制御装置136に格納された閾値電力量と比較することができる。制御装置136が指示された電力量は閾値電力量より多いと判断したことに応答して、制御装置136は、紫外線光源110を作動させるために電力変換器114に制御信号を送ることができる。一方、制御装置136が指示された電力量は閾値電力量未満であると判断したことに応答して、制御装置136は、制御信号を送る前に電力バッファ128が少なくとも閾値電力量を蓄積するまで待機し続けることができる。
【００３８】
さらに別の、または代替の例では、（1つまたは複数の）トリガーセンサー140は、オペレーターが作動させることができるユーザー入力装置を含むことができる。例として、ユーザー入力装置は、1つまたは複数のボタン、マウス、キーパッド、キーボード、および／またはスイッチを含むことができる。オペレーターがユーザー入力装置を作動させたことに応答して、ユーザー入力装置は、制御装置136にトリガーセンサー信号を送って、制御装置136に、紫外線光源110を作動させるための制御信号を電力変換器114に送らせることができる。このようにして、（1つまたは複数の）トリガーセンサー140は、所与の環境（例えば、病室および／または航空機のトイレ）を消毒する光制御システム100のオンデマンド作動を提供することができる。
【００３９】
いくつかの例では、制御装置136は、これに加えて、または代替として、紫外線光源110を停止させることによって光制御システム100の動作を制御することもできる。例えば、制御装置136は、将来の作動サイクルを妨げる（もしくは遅らせる）ために、かつ／または現在の作動サイクルを終了するために（すなわち、トリガーセンサー信号に基づいて、紫外線光源110を作動させる決定を無効にするために）紫外線光源110を停止させることができる。
【００４０】
例では、制御装置136は、動作の安全性を高め（もしくは最大化し）、かつ／または動作時の過渡現象を低減させる（もしくは最小化する）ために、1つまたは複数のオーバーライド状態の発生に応答して紫外線光源110を停止させることができる。一般に、オーバーライド状態には、例えば、光制御システム100の1つまたは複数の構成要素に関連する状態（例えば、光制御システム100の構成要素の温度および／もしくは電力バッファ128に蓄積されたエネルギー量）、ならびに／または光制御システム100の（1つもしくは複数の）構成要素が位置する環境に関連する状態（例えば、環境の温度および／もしくは環境の占有状態）が含まれ得る。別の例として、オーバーライド状態には、これに加えて、または代替として、（i）光制御システム100の外部にある1つもしくは複数の装置の緊急状態（例えば、航空機上および／もしくは病院内の1つまたは複数の装置の緊急状態）の発生、ならびに／または（ii）光制御システム100の1つもしくは複数の構成要素を不正に変更しようとする試みの発生、に関連する状態も含まれ得る。
【００４１】
一実施態様では、（1つまたは複数の）トリガーセンサー140は、（1つまたは複数の）オーバーライド状態を検出し、それに応答して、（1つまたは複数の）オーバーライド状態が検出されたことを指示するオーバーライドセンサー信号を生成することができる。制御装置136は、（i）オーバーライド状態が検出されたことを指示するオーバーライドセンサー信号を受け取り、（ii）オーバーライドセンサー信号に基づいて、1つまたは複数の基準が満たされたと判断し、（iii）1つまたは複数の基準が満たされたという判断に応答して、紫外線光源110を停止する制御信号を送ることができる。
【００４２】
一例では、（1つまたは複数の）トリガーセンサー140は、ドアが開き、または人が光制御システム100の近くに入ったことを検出することができ、制御装置136はそれに応答して、セキュリティおよび／または安全機能として光制御システム100を停止させすることができる。加えて、例えば、その後ドアが閉まり、かつ／またはその後人が光制御システム100の近くを離れると、トリガーセンサー140は、制御装置136にトリガーセンサー信号を送って、光制御システム100を作動させ、かつ／または光制御システム100を（1つもしくは複数の）トリガーセンサー140からの次のトリガーセンサー信号に応答して作動するよう備えることができる。
【００４３】
別の例では、（1つまたは複数の）トリガーセンサー140は、紫外線光源110および／または紫外線光源110が位置する環境の温度が閾値温度レベルより高いことを検出することができる。閾値温度レベルは、例えば、過熱状態および／または許容範囲外の温度状態に関連したものとすることができる。（1つまたは複数の）トリガーセンサー140が、温度が閾値温度レベルより高いことを検出したことに応答して、制御装置136は、光制御システム100における動作時の過渡現象のリスクを低減させる（または最小化する）ために光制御システム100を停止させることができる。加えて、（1つまたは複数の）トリガーセンサー140が、紫外線光源110および／または環境の温度が許容範囲内の温度（例えば、閾値温度レベル未満の温度）に戻ったことを検出すると、（1つまたは複数の）トリガーセンサー140は、制御装置136にトリガーセンサー信号を送って、光制御システム100を作動させ、かつ／または光制御システム100を（1つもしくは複数の）トリガーセンサー140からの次のトリガーセンサー信号に応答して作動するよう備えることができる。
【００４４】
いくつかの例では、制御装置136は、電力変換器114に制御信号を送って紫外線光源110を停止させることができる。例えば、一実施態様では、制御装置136は、1つまたは複数のスイッチ142A〜142Cに制御信号を送って、（1つまたは複数の）スイッチ142A〜142Cの下流側の光制御システム100の（1つまたは複数の）構成要素を停止させるために（1つまたは複数の）スイッチ142A〜142Cを閉状態から開状態に切り換えることができる。閉状態では、各スイッチ142A〜142Cはスイッチ142A〜142Cを介して電力を伝えることができる。一方、開状態では、各スイッチ142A〜142Cは、スイッチ142A〜142Cを介した電力伝送を抑制または妨害する（例えば、スイッチ142A〜142Cを切り換えて紫外線光源110が供給電力を受け取るのを妨げる）ことができる。
【００４５】
図1では、例えば、スイッチ142A〜142Cは、入力118と整流器122との間の任意の点に位置する第1のスイッチ142Aと、整流器122と電力バッファ128との間の任意の点に位置する第2のスイッチ142Bと、インバーター126と紫外線光源110（出力120など）との間の任意の点に位置する第3のスイッチ142Cとを含む。この構成では、制御装置136は、制御信号をスイッチ142A〜142Cのうちの1つまたは複数に選択的に送って、それらのスイッチ142A〜142Cの下流側の光制御システム100の構成要素を特定して停止させることができる。これにより、制御装置136は、検出された特定のオーバーライド状態に基づいて光制御システム100の異なる部分を選択的に停止させることができる。
【００４６】
例えば、一例として、紫外線光源110に関連したオーバーライド状態が発生した状況では、紫外線光源110についてオーバーライド状態が解消されている間に電力バッファ128に電力を蓄積（例えば充電）させ続けることが有益となり得る。これにより有利には、オーバーライド状態が解消されたときに電力バッファ128に蓄積された電力を使用して紫外線光源110をより迅速に作動させることができる。図1では、制御装置136は、第1のスイッチ142Aおよび第2のスイッチ142Bが閉状態のままである間に第3のスイッチ142Cに制御信号を送って第3のスイッチ142Cを開状態にすることができる。よって、出力120および紫外線光源110がインバーター126から切り離されている（よって、停止している）間に、電力バッファ128は整流器122から電力を受け取り続けることができる。
【００４７】
別の例として、（1つまたは複数の）トリガーセンサー140が電力バッファ128に関連したオーバーライド状態（例えば、許容範囲外の温度状態）の発生を検出した状況では、制御装置136は、（例えば、第1のスイッチ142Aおよび第3のスイッチ142Cを閉状態に維持することによって）光制御システム100の他の構成要素に電力を供給し続けることを可能にしながら、（例えば、制御信号を送って第2のスイッチ142Bを開状態にすることによって）電力バッファ128を停止させることができる。実際には、例えば、（1つまたは複数の）トリガーセンサー140は、電力バッファ128および／または電力バッファ128が位置する環境の温度が閾値温度レベルよりも高い（例えば、許容範囲外の温度状態および／または過熱状態を指示している）ことを検出することができる。（1つまたは複数の）トリガーセンサー140が、温度が閾値温度レベルより高いことを検出したことに応答して、制御装置136は、光制御システム100における動作時の過渡現象のリスクを低減させる（または最小化する）ために電力バッファ128を停止させることができる。加えて、（1つまたは複数の）トリガーセンサー140が、電力バッファ128および／または環境の温度が許容範囲内の温度（例えば、閾値温度レベル未満の温度）に戻ったことを検出すると、（1つまたは複数の）トリガーセンサー140は、制御装置136にトリガーセンサー信号を送って、電力バッファ128を作動させ、電力バッファ128への電力の蓄積を再開することができる。
【００４８】
図1には3つのスイッチ142A〜142Cが描かれているが、他の例示的実施形態では、光制御システム100は、光制御システム100内のさらに別の、または代替の位置に、より少数および／またはより多数のスイッチ142A〜142Cを含むこともできる。例えば、別の例では、（1つまたは複数の）スイッチ142A〜142Cは、これに加えて、または代替として、整流器122内、インバーター126内、電力バッファ128内、入力118の前の点、出力120の後の点、および／または電源116と出力120との間の他の任意の点に設けることもできる。これにより有利には、光制御システム100の選択された構成要素を停止させるより多くの選択肢が可能になる。具体的には、（1つまたは複数の）トリガーセンサー140および制御装置136は、停止すべき（1つまたは複数の）構成要素に関連したオーバーライド状態の発生を検出したことに応答して、整流器122、PFC130、インバーター126、および／またはPWM134を選択的に停止させる上述した方法と同様に動作することができる。
【００４９】
いくつかの例では、（1つまたは複数の）トリガーセンサー140と制御装置136との組み合わせは、これに加えて、または代替として、電力バッファ128に蓄積される電力量を監視し、電力バッファ128に蓄積された電力量が閾値電力量より多いと判断するように相互に動作することもできる。制御装置136が電力バッファ128に蓄積された電力量は閾値電力量より多いと判断したことに応答して、制御装置136は、電力バッファ128への追加電力の供給を抑制するために電力バッファ128を停止させることができる。その後、制御装置136が電力バッファ128に蓄積された電力量は閾値電力量より少ないと判断すると、制御装置136は、別の制御信号を送って電力バッファ128を作動させることができる。これにより、電力バッファ128が完全に充電された後の電力バッファ128への電力供給の中断と、作動サイクルが完了した後の電力バッファ128のその後の再充電を容易にすることができる。これに加えて、または代替として、電力バッファ128を停止させ、作動させることにより、紫外線光源110への過電力（例えば、紫外線光源110が必要とする以上の電力を供給すること）の可能性を低減させる（または回避する）ために、電力蓄積の停止および／または電力蓄積速度の減速を容易にすることもできる。
【００５０】
上述した例では、光制御システム100は、光制御システム100の1つまたは複数の構成要素を選択的に作動および／または停止させるように動作することができる。上記のように、光制御システム100は、これに加えて、または代替として、電力変換器114によって紫外線光源110に供給される供給電力の電気的パラメーターを動的に調整するために、電力変換器114、光センサー138、および／または（1つもしくは複数の）トリガーセンサー140と関連して動作することもできる。具体的には、光センサー138および／または（1つもしくは複数の）トリガーセンサー140は、紫外線光源110の動作に関連し得る（かつ／または紫外線光源110の出力に影響を及ぼし得る）1つまたは複数の動作状態を感知することができる。例えば、上記のように、紫外線光源110によって発せられる紫外線112の強度に影響を及ぼし得る（1つまたは複数の）動作状態には、例えば、LLDおよび／またはLDDが含まれる。さらに別の例として、（1つまたは複数の）動作状態は、紫外線光源110の温度、紫外線光源110の動作周波数、紫外線光源110の残りの平均耐用年数、紫外線光源110の電力効率、紫外線光源110によって発せられる紫外線112の放射照度、紫外線光源110の電圧レベル、紫外線光源110の有効性レベル、および／または紫外線光源110の機齢（例えば、紫外線光源110の残りの平均耐用年数）にも関連し得る。
【００５１】
以下で詳細に説明するように、光センサー138および／または（1つもしくは複数の）トリガーセンサー140が（1つもしくは複数の）動作状態を感知したことに応答して、光センサー138および／または（1つもしくは複数の）トリガーセンサー140は制御装置136に、光センサー138および／または（1つもしくは複数の）トリガーセンサー140によって感知された動作状態に関連した入力パラメーターを指示するセンサー信号を送ることができる。センサー信号に基づいて、制御装置136は、PFC130、PWM134、および／または電力バッファ128にフィードバック信号を提供して、PFC130、PWM134、および／または電力バッファ128に、入力パラメーターに基づいて供給電力の電気的パラメーター（例えば、供給電力の交流波形の周波数、パルス幅、ワット数、および／または電圧）を調整させることができる。このようにして、光制御システム100は、一連の作動サイクルにわたって目標抗菌効果レベルを維持し、かつ／または（1つもしくは複数の）動作状態に基づいて紫外線光源110の動作をそれ以外に調整することができる。
【００５２】
いくつかの実施態様では、制御装置136は、入力パラメーターに基づいて供給電力のパルス幅および／または周波数を調整するために、PWM134にフィードバック信号を提供することができる。他の実施態様では、制御装置136は、これに加えて、または代替として、入力パラメーターに基づいて供給電力の電圧および／またはワット数を調整するために、PFC130にフィードバック信号を提供することもできる。他の実施態様では、制御装置136は、これに加えて、または代替として、入力パラメーターに基づいて供給電力の電圧および／またはワット数を調整するために、電力バッファ128にフィードバック信号を提供することもできる。よって、例では、制御装置136は、PFC130、PWM134、および／または電力バッファ128のうちのいずれか1つまたはそれらの組み合わせに、光センサー138および／または（1つもしくは複数の）トリガーセンサー140によって感知された動作状態に関連した入力パラメーターに基づいて供給電力の電気的パラメーターを調整させることができる。
【００５３】
いくつかの例では、光センサー138は、紫外線光源110によって発せられた紫外線112を感知し、感知された紫外線112の光学パラメーターを測定し、光センサー138によって測定された光学パラメーターを指示するセンサー信号を制御装置136に提供することができる。したがって、紫外線光源110によって発せられた紫外線112の一部分が光センサー138に入射するように光センサー138を位置決めすることができる。例として、光センサー138は、紫外線112の光学パラメーターを感知し測定するために、1つまたは複数のフォトダイオード、光接合デバイス（photojunction device）、光依存性抵抗（light dependent resistor（LDR））、および／または光導電セルを含むことができる。
【００５４】
これらの例では、光センサー138によって測定される光学パラメーターは、センサー信号によって指示される入力パラメーターとすることができる。制御装置136は、光センサー138からセンサー信号を受け取り、センサー信号によって指示される光学パラメーターを目標光学パラメーターと比較することができる。目標光学パラメーターは、固定値および／または調整可能値とすることができる。比較に基づいて、制御装置136は、電力変換器114にフィードバック信号を提供して、電力変換器114に供給電力の電気的パラメーターを調整させることができる。
【００５５】
電気的パラメーターが供給電力の交流波形の周波数および／またはパルス幅である例では、フィードバック信号はPWM134に、供給電力の交流波形の周波数および／またはパルス幅を調整するためにフィードバック信号に基づいてスイッチをオンとオフに切り換えさせることができる。一実施態様では、光センサー138によって測定される光学パラメーターは、紫外線光源110に対する電力変換器114の共振に関連したものとすることができる。例えば、紫外線光源110が供給電力を用いて作動すると、紫外線光源110内のガスに、紫外線光源110の周波数を定義することができるイオン形成およびイオン再結合のプロセスが発生し得る。供給電力の交流波形が、紫外線光源110の周波数と共振する周波数および／またはパルス幅を有するとき、紫外線光源110によって発せられる紫外線112の強度は、入力118で受け取られる入力電力と一致する最大強度である。
【００５６】
例では、光センサー138は、紫外線112の放射照度を紫外線光源110に対する電力変換器114の共振の指標として測定することができる。例えば、電力変換器114および／または紫外線光源110の1つまたは複数の特性に基づき、電力変換器114が紫外線光源110と共振しているとき（すなわち、供給電力の周波数および／またはパルス幅が紫外線光源110の周波数と共振しているとき）に紫外線112の放射照度は目標放射照度を有すると予想することができる。よって制御装置136は、センサー信号によって指示される放射照度を目標放射照度と比較することができ、比較に基づいて、制御装置136は、電力変換器114にフィードバック信号を提供して電力変換器114を紫外線光源110の周波数に同調させることができる。紫外線光源110の周波数は経時的にドリフトする可能性があるので、制御装置136および光センサー138は、紫外線光源110の複数の作動サイクルにわたって（例えば、紫外線光源110の寿命にわたって）電力変換器114と紫外線光源110との共振状態を維持するために、電力変換器114の動作を動的に調整することができる。
【００５７】
さらに、電力変換器114を紫外線光源110の周波数に同調させることによって、紫外線光源110の効率を高める（または最大化する）ことができる。さらに、これにより、目標抗菌効果レベルで紫外線112を発するための紫外線光源110の電力要件を満たすのに必要な電力バッファ128に蓄積されるべき電力がより少なくて済むので、電力バッファ128を相対的に小型および／または軽量にすることが可能になる。
【００５８】
上記のように、一例では目標光学パラメーターを固定値とすることができる。別の例では、目標光学パラメーターを調整可能とすることができる。例えば、制御装置136は、測定される放射照度をピーク値に維持するために、1つまたは複数の以前に測定された光学パラメーターを使用して目標光学パラメーターを繰り返し調整することができる。
【００５９】
PWM134が電気的パラメーターを調整する一実施態様では、PFC130は、インバーター126に固定直流電力を供給することができる。図2に、PFC230がインバーター126に固定直流電力を供給する一例示的実施形態によるPFC230を示す。図2に示すように、PFC230は、第1のPFC入力246、第2のPFC入力248、およびPFC出力250を有するPFC回路244を含む。第1のPFC入力246は、入力118を介して電源116から入力電力を受け取るように構成される。第2のPFC入力248は、フィードバック回路252から信号を受け取るように構成される。PFC出力250は、第1のPFC入力246における入力電力と第2のPFC入力248における信号とに基づくものである直流電力を出力するように構成される。よって、PFC出力250は、図1の電力バッファ128および／またはインバーター126に結合することができる。
【００６０】
フィードバック回路252は、PFC出力250と第2のPFC入力248とに結合されている。この構成では、フィードバック回路252が第2のPFC入力248に提供する信号は、PFC出力250における直流電力に基づくものである。よって、フィードバック回路252は、PFC出力250における直流電力の変動を感知し、感知した変動を指示する信号を第2のPFC入力248に提供することができる。よってPFC回路244は、第2のPFC入力248における信号を、入力電力を固定電圧の直流電力に変換する（すなわち、力率を改善し、かつ／またはPFC出力250における直流電力の電圧を調整する）ための基礎として使用することができる。
【００６１】
図2では、フィードバック回路252は、信号調節回路254、演算増幅器（オペアンプ）256、および基準電圧源258を含む。信号調節回路254は、PFC出力250とオペアンプ256の反転入力256Aとに結合されており、基準電圧源258は、オペアンプ256の非反転入力256Bに結合されており、オペアンプ256の出力256Cは、第2のPFC入力248に結合されている。この構成では、オペアンプ256は第2のPFC入力248に、反転入力256Aで信号調節回路254によって供給される電圧と非反転入力256Bにおける基準電圧源258の電圧との差に基づくものである信号を出力するように構成される。基準電圧源258の電圧は固定値であるので、フィードバック回路252は、PFC回路244に、PFC出力250における直流電力を単一の固定電圧に維持させるように構成される。
【００６２】
上述した例では、調整される供給電力の電気的パラメーターは、供給電力の交流波形の周波数および／またはパルス幅である。しかしながら上記のように、他の例では調整される供給電力の電気的パラメーターは、これに加えて、または代替として、供給電力の電圧および／またはワット数とすることもできる。そのような例では、制御装置136は、供給電力の電圧および／またはワット数を調整するためにPFC130および／または電力バッファ128にフィードバック信号を提供することができる。
【００６３】
図3に、一例示的実施形態による、フィードバック信号に基づいて、図1のインバーター126および／または電力バッファ128に供給される直流電力の電圧を調整することができるPFC330を示す。図3では、PFC330は図2に示すPFC230の修正バージョンであり、図2でPFC230にPFC出力250で単一の固定電圧を供給させる基準電圧源258が、複数の基準電圧の中から基準電圧を動的に選択し、よって、インバーター126および／または電力バッファ128に供給される直流電力の電圧を調整することを容易にする構成要素で置き換えられている。例えば、後述するように、PFC330は、基準電圧として可変入力を有する演算増幅器（オペアンプ）を含むことができる。
【００６４】
図3に示すように、PFC330は、第1のPFC入力346、第2のPFC入力348、およびPFC出力350を有するPFC回路344を含む。第1のPFC入力346は、入力118を介して電源116から入力電力を受け取るように構成される。第2のPFC入力348は、フィードバック回路352から信号を受け取るように構成される。PFC出力350は、第1のPFC入力346における入力電力と第2のPFC入力348における信号とに基づくものである直流電力を出力するように構成される。よって、PFC出力350は、図1の電力バッファ128および／またはインバーター126に結合することができる。
【００６５】
フィードバック回路352は、PFC出力350と第2のPFC入力348とに結合されている。この構成では、フィードバック回路352が第2のPFC入力348に提供する信号は、PFC出力350における直流電力に基づくものである。よって、フィードバック回路352は、PFC出力350における直流電力の変動を感知し、感知した変動に一部基づく信号を第2のPFC入力348に提供することができる。これにより、PFC回路344は、第1のPFC入力346における入力電力を、PFC出力350における調整された力率改善直流電力に変換するための基礎として第2のPFC入力348における信号を使用することができる。
【００６６】
加えて、フィードバック回路352は、光センサー138および／または（1つもしくは複数の）トリガーセンサー140によって感知可能な（1つもしくは複数の）動作状態に関連した入力パラメーターに基づいて第2のPFC入力348で信号を提供するようにも構成される。入力パラメーターは（1つまたは複数の）動作状態の変化と共に変動し得るので、第2のPFC入力348における信号は、PFC回路344が、（1つまたは複数の）動作状態の変化に応答してPFC出力350における直流電力の電圧レベルを動的に調整することも可能にし得る。言い換えれば、PFC330は、入力パラメーターに基づいて複数の調整された力率改善電圧レベルの中から選択された調整された力率改善電圧レベルを出力することによって、直流電力の電圧を動的に調整することができる。
【００６７】
上記のように、第2のPFC入力348における信号は、光センサー138および／または（1つもしくは複数の）トリガーセンサー140によって感知された（1つもしくは複数の）動作状態に関連した入力パラメーターに一部基づくものである。これは、図1に示すように、PFC130に通信可能に結合された制御装置136に基づいて実現することができる。例えば、制御装置136は、（i）光センサー138および／または（1つもしくは複数の）トリガーセンサー140から、光センサー138および／または（1つもしくは複数の）トリガーセンサー140によって感知された動作状態に関連した入力パラメーターを指示するセンサー信号を受け取り、（ii）センサー信号に基づいて、PFC330にフィードバック信号を提供して、PFC330に、入力パラメーターに基づいて供給電力の電気的パラメーターを調整させることができる。
【００６８】
具体的には、図3では、フィードバック回路352は、制御装置136からフィードバック信号を受け取る論理回路360を含むことができる。論理回路360は、入力パラメーターに基づいて複数の基準電圧の中から基準電圧を選択するように構成される。例えば、一実施態様では、論理回路360は、入力パラメーターに基づいて動的に調整可能な出力電圧を有する可変分圧器を含むことができる。図3では、論理回路360は、入力パラメーターに基づいて3つの基準電圧の中から選択するように構成されているものとして描かれている。しかしながら、他の例では、論理回路360は、入力パラメーターに基づいてN個の異なる基準電圧の中から選択し、Nが1より大きい整数値である、ように構成することができる。
【００６９】
図3に示すように、フィードバック回路352は、第1のオペアンプ356、第2のオペアンプ362、および論理回路360を含む。第1のオペアンプは、第1の反転入力356A、第1の非反転入力356B、および第1の出力356Cを含む。第1のオペアンプ356の第1の出力356Cは、第2のPFC入力348に結合されている。第1のオペアンプ356の第1の反転入力356Aは、信号調節回路354によってPFC出力350に結合されている。第2のオペアンプ362は、第2の反転入力362A、第2の非反転入力362B、および第2の出力362Cを含む。第2のオペアンプ362の第2の出力362Cは、第1のオペアンプ356の第1の非反転入力356Bに結合されている。第2のオペアンプ362の第2の反転入力362Aは接地364に結合されている。論理回路360は、第2のオペアンプ362の第2の反転入力362Aに結合されている。よって論理回路360は、第2のオペアンプ362の第2の反転入力362Aに調整可能な基準電圧を供給するように構成される。
【００７０】
この構成では、論理回路360は、制御装置136からフィードバック信号を受け取り、入力パラメーターに基づいて複数の基準電圧の中から基準電圧を選択することができる。論理回路360は、選択された基準電圧を第2のオペアンプ362の第2の反転入力362Aに供給することができる。次いで第2のオペアンプ362は、第2の出力362Cから第1のオペアンプ356の第1の非反転入力356Bに、第2の反転入力362Aにおける選択された基準電圧と第2の非反転入力362Bにおける接地364との差に基づく信号を出力する。次いで第1のオペアンプ356は、第1の出力356Cから第2のPFC入力348に、第2のオペアンプから受け取った信号と（PFC出力350における直流電力に基づくものである）信号調節回路354から受け取った信号との差に基づく信号を出力する。
【００７１】
よって第2のPFC入力348でフィードバック回路352によって提供される信号は、PFC330が制御装置136から受け取ったフィードバック信号と、光センサー138および／または（1つもしくは複数の）トリガーセンサー140によって感知された入力パラメーターとに基づくものである。したがって、PFC出力350における直流電力は、第1のPFC入力346における入力電力と第2のPFC入力348における信号とに基づくものであるので、PFC330は、直流電力の電圧を、入力パラメーターに基づく（複数の調整された力率改善電圧レベルの中から選択された）調整された力率改善電圧レベルになるように動的に調整することができる。このようにして、PFC330は、供給電力の電気的パラメーターを調整可能に制御するように構成される。
【００７２】
上記のように、（1つまたは複数の）動作状態は、光源の温度、光源の動作周波数、光源の残りの平均耐用年数、光源の電力効率、光源によって発せられた光の放射照度、光源110の電圧レベル、光源110の有効性レベル、および／または光源110の機齢に関連し得る。よって、これらの（1つまたは複数の）動作状態のうちの1つまたは複数が、経時的に、かつ／または一連の作動サイクルにわたって変化すると、光センサー138および／または（1つもしくは複数の）トリガーセンサー140はそれらの変化を感知することができ、制御装置136はそれに応答して、PFC130に、インバーター126に供給される直流電力の電圧を調整させ、それによって紫外線光源110に供給される供給電力の電圧を調整させることができる。これにより、例えば、経時的に、かつ／または一連の作動サイクルにわたって目標抗菌効果レベルを提供する目標強度で紫外線光源110が紫外線112を発するのを容易にすることができる。加えて、例えば、変化した（1つまたは複数の）動作状態に基づいて供給電力の電圧を調整することにより、紫外線光源110の耐用年数の延長を容易にすることもできる。
【００７３】
次に図4を参照すると、別の例示的実施形態による、フィードバック信号に基づいて供給電力の電圧を調整することができるPFC430が示されている。図4に示すように、PFC430は、第1のPFC入力446、第2のPFC入力448、およびPFC出力450を有するPFC回路444を含む。第1のPFC入力446は、入力118を介して電源116から入力電力を受け取るように構成される。第2のPFC入力448は、フィードバック回路452から信号を受け取るように構成される。PFC出力450は、第1のPFC入力446における入力電力と第2のPFC入力448における信号とに基づくものである直流電力を出力するように構成される。フィードバック回路452は、PFC出力450および第2のPFC入力448に結合されている。
【００７４】
図3のフィードバック回路352と同様に、フィードバック回路452は、直流電力の電圧を、入力パラメーターに基づく（複数の調整された力率改善電圧レベルの中から選択された）調整された力率改善電圧レベルになるように動的に調整するために、制御装置136からフィードバック信号を受け取り、その信号を第2のPFC入力448に提供するように構成される。しかしながら、図4に示すフィードバック回路452は、図3に示すフィードバック回路352といくつかの点で異なる。
【００７５】
図3に示すように、フィードバック回路352は、第1のオペアンプ356、第2のオペアンプ362、および論理回路360を含む。第1のオペアンプは、第1の反転入力356A、第1の非反転入力356B、および第1の出力356Cを含む。第1のオペアンプ356の第1の出力356Cは、第2のPFC入力348に結合されている。第1のオペアンプ356の第1の反転入力356Aは、信号調節回路354によってPFC出力350に結合されている。第2のオペアンプ362は、第2の反転入力362A、第2の非反転入力362B、および第2の出力362Cを含む。第2のオペアンプ362の第2の出力362Cは、第1のオペアンプ356の第1の非反転入力356Bに結合されている。第2のオペアンプ362の第2の反転入力362Aは接地364に結合されている。論理回路360は、第2のオペアンプ362の第2の反転入力362Aに結合されている。よって論理回路360は、第2のオペアンプ362の第2の反転入力362Aに調整可能な基準電圧を供給するように構成される。
【００７６】
図4に示すように、フィードバック回路452は、第1のオペアンプ456、第2のオペアンプ462、および論理回路460を含む。第1のオペアンプ456は、第1の反転入力456A、第1の非反転入力456B、および第1の出力456Cを含む。第1のオペアンプ456の第1の出力456Cは第2のPFC入力448に結合されており、第1のオペアンプ456の第1の反転入力456Aは、信号調節回路454によってPFC出力450に結合されている。第2のオペアンプ462は、第2の反転入力462A、第2の非反転入力462B、および第2の出力462Cを含む。第2のオペアンプ462の第2の出力462Cは、信号調節回路454を介して、PFC出力450と第1のオペアンプ456の第1の反転入力456Aとに結合されている。第2のオペアンプ462の第2の非反転入力462Bは接地464に結合されている。
【００７７】
加えて、図4に示すように、フィードバック回路452は、第1のオペアンプ456の第1の非反転入力456Bと第2のオペアンプ462の第2の非反転入力462Bとに結合された基準電圧源466も含む。基準電圧源466は、第1の非反転入力456Bおよび第2の非反転入力462Bに固定電圧を供給するように構成される。フィードバック回路452はまた、第2のオペアンプ462の第2の反転入力462Aに結合された論理回路460も含む。論理回路460は、第2のオペアンプ462の第2の反転入力462Aに調整可能な基準電圧を供給するように構成される。図3に示す論理回路360に関連して上述したように、論理回路460は、入力パラメーターに基づいて複数の基準電圧の中から基準電圧を選択するように構成される。
【００７８】
この構成では、論理回路460は、制御装置136からフィードバック信号を受け取り、入力パラメーターに基づいて複数の基準電圧の中から基準電圧を選択することができる。論理回路460は、選択された基準電圧を第2のオペアンプ462の第2の反転入力462Aに供給することができる。次いで第2のオペアンプ462は、第2の出力462Cから信号調節回路454に、第2の反転入力462Aにおける選択された基準電圧と第2の非反転入力462Bにおける接地464との差に基づく信号を出力する。
【００７９】
信号調節回路454は、第1のオペアンプ456の第1の反転入力456Aに、（i）PFC出力450における直流電力と（ii）第2のオペアンプ462の第2の出力462Cによって提供される信号とに基づくものである信号を提供することができる。加えて、基準電圧源466は、第1のオペアンプ456の第1の非反転入力456Bに固定電圧を供給することができる。次いで第1のオペアンプ456は、第1の出力456Cから第2のPFC入力448に、基準電圧源466からの固定電圧と（PFC出力450における直流電力と入力パラメーターに基づいて選択された基準電圧とに基づくものである）信号調節回路454から受け取った信号との差に基づく信号を出力する。
【００８０】
このようにして、第2のPFC入力448でフィードバック回路452によって提供される信号は、PFC430が制御装置136から受け取ったフィードバック信号と、光センサー138および／または（1つもしくは複数の）トリガーセンサー140によって感知された入力パラメーターとに基づくものである。したがって、PFC出力450における直流電力は、第1のPFC入力446における入力電力と第2のPFC入力448における信号とに基づくものであるので、PFC430は、直流電力の電圧を、入力パラメーターに基づく（複数の調整された力率改善電圧レベルの中から選択された）調整された力率改善電圧レベルになるように動的に調整することができる。
【００８１】
いくつかの例では、PFC130において電圧を変更することにより、いくつかのパラメーターにおいて（例えば、電圧、周波数およびパルス幅との相互作用などのPFC130のパラメーターと比較したPWM134内の構成要素の電圧および電流の定格低減、PWM134の熱放散などのPWM134のパラメーターなど）PWM134によって使用されるものよりも高い柔軟性を提供することができる。
【００８２】
上記のように、制御装置136は、これに加えて、または代替として、供給電力の電圧および／またはワット数を調整するために電力バッファ128にフィードバック信号を提供することもできる。図5に、一例示的実施形態による電力バッファ128の簡略ブロック図を示す。図5に示すように、電力バッファ128は、時間間隔の第1の部分の間にPFC130から電力を受け取るように構成された入力568を含むことができる。電力バッファ128はまた、時間間隔の第1の部分の間に入力568で受け取った電力を蓄積するように構成されたエネルギー蓄積装置570も含むことができる。電力バッファ128は、PWM134に結合されるように構成された出力572をさらに含むことができる。出力572は、時間間隔の第2の部分の間に、時間間隔の第1の部分の間にエネルギー蓄積装置570に蓄積された電力を出力するように構成される。
【００８３】
また、図5に示すように、電力バッファ128は、入力568で受け取られる電力および／または出力572で供給される電力を降圧および／または昇圧することができる直流・直流変換器132を含む。加えて、電力バッファ128は、制御装置136から、エネルギー蓄積装置570の動作を制御するためのフィードバック信号を受け取るように構成された制御端子574も含む。例えば、一実施態様では、フィードバック信号は、直流・直流変換器132に、入力パラメーターに基づいてエネルギー蓄積装置570に蓄積された、かつ／またはエネルギー蓄積装置570から引き出された電力を昇圧および／または降圧させることができる。このようにして、制御装置136は、これに加えて、または代替として、光センサー138および／または（1つもしくは複数の）トリガーセンサー140によって感知された入力パラメーターに基づいて、供給電力の電圧および／またはワット数を調整するために電力バッファ128にフィードバック信号を提供することもできる。
【００８４】
上記のように、光センサー138および／または（1つもしくは複数の）トリガーセンサー140は、（1つもしくは複数の）動作状態を感知し、光センサー138および／または（1つもしくは複数の）トリガーセンサー140によって感知された（1つもしくは複数の）動作状態に関連した入力パラメーターを指示するセンサー信号を提供することができる。加えて、上記のように、（1つまたは複数の）動作状態および（1つまたは複数の）入力パラメーターは、紫外線光源110の温度、紫外線光源110の動作周波数、紫外線光源110の残りの平均耐用年数、紫外線光源110の電力効率、紫外線光源110によって発せられる紫外線112の放射照度、紫外線光源110の電圧レベル、紫外線光源110の有効性レベル、および／または紫外線光源110の機齢にも関連し得る。（1つまたは複数の）動作状態および（1つまたは複数の）入力パラメーターは、これに加えて、または代替として、紫外線光源110が位置する環境の人間および／もしくは赤ん坊による占有状態、ならびに／または紫外線光源110に対する人間および／もしくは赤ん坊の近接性にも関連し得る。（1つまたは複数の）動作状態および（1つまたは複数の）入力パラメーターは、これに加えて、または代替として、電力バッファ128に蓄積されている電力のレベルおよび／または電力バッファ128に蓄積されている最大レベルの電力の発生にも関連し得る。
【００８５】
いくつかの例では、（1つまたは複数の）トリガーセンサー140は、紫外線光源110の温度を感知し、感知した温度に基づいて供給電力の電気的パラメーターをそれに応じて調整することができる。温度を使用して紫外線光源110に供給される供給電力を調整および／または決定することに関するさらなる詳細については、参照によりその全体が本明細書に組み入れられる、2017年11月13日に出願された米国特許出願第15／810414号に記載されている。
【００８６】
例えば、米国特許出願第15／810414号に記載されるように、紫外線光源110は、紫外線光源110の内部および／または紫外線光源110の外部で発生する動作状態が原因で過熱する可能性がある。例えば、紫外線光源110の動作中に、誘電体と電極との間にフィラメントおよび／またはガスの導電性のプラズマの柱が形成される可能性がある。フィラメントは、紫外線光源110内の設定位置に付着して電圧放電を形成し、それが金属メッシュを加熱し、金属メッシュに穴および／または亀裂を形成することがある。このように、電圧放電は紫外線光源110の寿命を縮める。
【００８７】
例では、（1つまたは複数の）トリガーセンサー140は、紫外線光源110の内部温度を監視するように構成された少なくとも1つの温度センサーを含むことができる。よって、フィラメントが、紫外線光源110の金属メッシュに沿って温度スパイクを引き起こす1つまたは複数のホットスポットを生じさせた場合、温度センサーはそれらのホットスポットを測定することができる。いくつかの実施態様では、温度スパイクは約100°Cを超える温度に達することがあり、これは金属メッシュおよび／または紫外線光源110に影響を及ぼし得る。（1つまたは複数の）トリガーセンサー140によって感知された温度に基づき、制御装置136は、PFC130、PWM134、および／または電力バッファ128に、供給電力の電気的パラメーターを調整させ、それによって紫外線光源110に供給される電力を低減させることができる。電力の調整または低減により、紫外線光源110内の誘電体に対してフィラメントが移動する。フィラメントの移動によりホットスポットの位置が調整され、それによって紫外線光源110の寿命が延びる。
【００８８】
別の例では、（1つまたは複数の）トリガーセンサー140は、（例えば、紫外線光源110が配置されている環境で）紫外線光源110の外部の温度を監視することができる。一実施態様では、紫外線光源110の所望の機能を維持するために、特定の距離で、かつ／または特定の時間間隔内に測定される負荷の周囲の温度を所定の範囲の温度値内に維持することができる。よって（1つまたは複数の）トリガーセンサー140は、制御装置136に測定温度を指示することができ、制御装置136は、測定温度を所定範囲の温度値と比較することができる。制御装置136が、（1つまたは複数の）トリガーセンサー140によって感知された温度は温度値の所定の範囲外にあると判断した場合、制御装置136は、紫外線光源110の性能が低下していると判断することができる。加えて、制御装置136は、PFC130、PWM134、および／または電力バッファ128に、供給電力の電気的パラメーターを調整させ、それによって紫外線光源110に供給される電力を低減させて紫外線光源110に供給される供給電力のワット数を増やすこともできる。
【００８９】
一般に、制御装置136は、光制御システム100（および後述するように、図6に示す電力変換器614）の動作を制御するように構成されるコンピューティングデバイスである。よって、制御装置136は、ハードウェア、ソフトウェア、および／またはファームウェアを使用して実装することができる。例えば、制御装置136は、1つまたは複数のプロセッサーと、機械語命令または他の実行可能命令を格納した非一時的なコンピューター読み取り可能な媒体（例えば、揮発性および／または不揮発性メモリ）とを含むことができる。命令は、1つまたは複数のプロセッサーによって実行されると、光制御システム100に本明細書に記載されている様々な動作を実行させる。よって制御装置136は、（センサー信号、トリガーセンサー信号、および／またはオーバーライド信号によって指示されるデータを含む）データを受け取り、そのデータをメモリに格納することもできる。
【００９０】
例では、制御装置136は、光制御システム100の1つまたは複数の構成要素と一体化することができる。例えば、本明細書に記載する制御装置136の態様は、制御装置136に組み込み、かつ／または制御装置136によって行うことができ、PFC130、PWM134、電力バッファ128、紫外線光源110、光センサー138、および／または（1つもしくは複数の）トリガーセンサー140と一体化することができる。したがって、制御装置136の装置およびシステムのロバスト性および性能を向上させるために、必要に応じて、冗長性、反復などの分散処理の原理および利点を実現することもできる。
【００９１】
例えば、一例では、制御装置136はPFC130とすることができる。別の例では、制御装置136はPWM134とすることができる。別の例では、制御装置136は電力バッファ128とすることができる。別の例では、制御装置136は紫外線光源110とすることができる。別の例では、制御装置136は光センサー138とすることができる。別の例では、制御装置136は（1つまたは複数の）トリガーセンサー140とすることができる。上述したように、別の例では、制御装置136は、PFC130、PWM134、電力バッファ128、紫外線光源110、光センサー138、および（1つまたは複数の）トリガーセンサー140のうちの2つ以上の組み合わせとすることができる。さらに別の例では、制御装置136は、PFC130、PWM134、電力バッファ128、紫外線光源110、光センサー138、および（1つまたは複数の）トリガーセンサー140から分離した別の装置とすることができる。したがって、例では、PFC130、PWM134、電力バッファ128、紫外線光源110、光センサー138、および／または（1つもしくは複数の）トリガーセンサー140は、制御装置136について説明した機能および動作の一部または全部を実行することができる。
【００９２】
加えて、例えば、図1には、光制御システム100の構成要素を、制御装置136を介して互いに間接的に通信するものとして示しているが、光制御システム100の構成要素は、制御装置136が光制御システム100の構成要素に組み込まれている実施態様では互いに直接通信することもできる。例えば、制御装置136の態様は、光センサー138および／または（1つもしくは複数の）トリガーセンサー140がフィードバック信号および入力パラメーターをPFC130、PWM134、および／または電力バッファ128に直接伝えることができるように、光センサー138および／または（1つもしくは複数の）トリガーセンサー140に組み込むことができる。また、例えば、制御装置136の態様は、上述したように、光センサー138および／または（1つもしくは複数の）トリガーセンサー140が光制御システム100の構成要素を作動および／または停止させることができるように、光センサー138および／または（1つもしくは複数の）トリガーセンサー140に組み込むこともできる。同様に、例では、光センサー138および／またはトリガーセンサー140は、例えば、紫外線光源110および／または電力バッファ128などの光制御システム100の他の構成要素と一体化することもできる。
【００９３】
上述した例では、光制御システム100は電力バッファ128を含む。電力バッファ128は、光制御システム100の航空機実施態様および非航空機実施態様を含む、電力が限られた環境において有益となり得る。しかしながら、他の例では、光制御システム100は、（例えば、比較的高い電圧が容易に利用できる実施態様では）電力バッファ128を省くことができる。
【００９４】
いくつかの実施態様（例えば航空機など）では、光制御システム100は三相電力の伝送を提供することができる。一方、他の実施態様（例えば、病院などの商業用途）では、光制御システム100は単相電力の伝送を提供することができる。
【００９５】
動作に際して、光制御システム100は、時間間隔の第1の部分および時間間隔の第2の部分の間に、電力変換器114の入力118において、電源116から入力電力を受け取る。紫外線光源110は、時間間隔の第1の部分の間に停止する。紫外線光源110は、時間間隔の第2の部分の間に作動する。しかしながら、時間間隔の第2の部分の間に受け取られる入力電力は、それ自体では、目標抗菌効果レベルを提供する強度で、かつ／または目標抗菌効果レベルを提供する露光時間にわたって紫外線光源110が紫外線112を発するには不十分である。
【００９６】
時間間隔の第1の部分の間に紫外線光源110が停止している間、整流器122は入力電力を直流電力に変換し、直流電力は電力バッファ128に蓄積される。時間間隔の第1の部分の後、時間間隔の第2の部分の間に制御装置136は紫外線光源110を作動させることができる。例えば、制御装置136は、（1つまたは複数の）トリガーセンサー140が（1つまたは複数の）トリガー状態を検出し、制御装置136が、（1つまたは複数の）トリガーセンサー140から受け取ったトリガーセンサー信号に少なくとも一部は基づいて、紫外線光源110を作動させる基準が満たされたと判断したことに応答して、紫外線光源110を作動させることができる。
【００９７】
時間間隔の第2の部分の間、電力変換器114は出力120から紫外線光源110に供給電力を出力する。紫外線光源110は、時間間隔の第2の部分の間に供給電力を使用して、目標抗菌効果レベルを提供する強度で、かつ／または目標抗菌効果レベルを提供する露光時間にわたって紫外線112を発することができる。
【００９８】
上記のように、供給電力は、（i）時間間隔の第2の部分の間に入力118で受け取った入力電力と（ii）時間間隔の第1の部分の間に電力バッファ128に蓄積された電力とからの電力の組み合わせを含むことができる。例えば、時間間隔の第2の部分の間に紫外線光源110が作動すると、整流器122は入力電力を直流電力に変換し、直流電力をインバーター126に供給することができる。加えて、時間間隔の第2の部分の間に紫外線光源110が作動すると、電力バッファ128は電圧降下を感知し、それに応答して電力バッファ128に蓄積された電力をインバーター126に供給することができる。よってインバーター126は、整流器122からの直流電力と電力バッファ128からの蓄積電力とを受け取り、この電力の組み合わせを供給電力に変換する。時間間隔の第2の部分の間に入力118で受け取った入力電力と電力バッファ128に蓄積された電力とを組み合わせることによって、電力変換器114は紫外線光源110に、目標抗菌効果レベルで紫外線光源110を作動させるのに十分な電力を供給することができる。
【００９９】
一例では、目標抗菌効果レベルは、10mW／cm2の強度および10秒の露光時間で定義することができる。この例では、入力118は、入力電力が約100W（すなわち、1kW未満）のワット数を有するように、約115VACの電圧、約400Hzの周波数、および0．5アンペア（A）の電流を有する三相交流電力として入力電力を受け取ることができる。よって、入力電力はそれ自体では目標抗菌効果レベルで紫外線光源110を作動させるには不十分である。整流器122は、入力電力を、約200VDCの電圧および約0．5Aの電流を有する直流電力に変換することができる。電力バッファ128は、直流電力を200VDCから28VDCに降圧する第1の直流・直流変換器と、直流電力を28VDCから200VDCに昇圧する第2の直流・直流変換器とを含むことができる。
【０１００】
この構成では、時間間隔の第1の部分の間、整流器122は入力電力を200VDCの電力に変換し、電力バッファ128は200VDCの電力を蓄積する。時間間隔の第2の部分の間、整流器122は入力電力を200VDCの電力に変換し、200VDCの電力をインバーター126に供給する。また、時間間隔の第2の部分の間、電力バッファ128は、蓄積された電力を約200VDCの電圧および約5Aの電流でインバーター126に供給する。その結果、インバーター126は、供給電力が1kW以上のワット数を有するように、200VDCおよび少なくとも5Aの電流の電力の組み合わせを受け取ることになる。この例では、電力バッファ128は、少なくとも、10秒間の露光時間にわたって200VDCおよび5Aで蓄積された電力を供給するのに十分な大きさのエネルギー蓄積容量を有することができる。このようにして、電力変換器114は、紫外線光源110の作動サイクル中に目標抗菌効果レベルを達成するのに十分な電力を紫外線光源110に供給することができる。
【０１０１】
上述した例では、目標抗菌効果レベルは約10mWs／cm2の紫外線量である。さらに別の、または代替の例では、目標抗菌効果レベルは、約2mWs／cm2〜約500mWs／cm2の紫外線量とすることができる。紫外線112への曝露に耐える能力は微生物によって異なり得る。いくつかの実施態様では、目標抗菌効果レベルは、光制御システム100による消毒の対象とされる1つまたは複数の種類の微生物についての標的微生物殺傷率に基づくものとすることができる。例として、標的微生物殺傷率は、紫外線量によって照射された1つまたは複数の標的生物の約80％、約90％、約95％、約99％、約99．9％、および／または約99．99％とすることができる。
【０１０２】
加えて、上述した例では、電力バッファ128に蓄積された電力は供給電力の約90％を供給し、時間間隔の第2の部分の間に受け取られた入力電力は供給電力の約10％を供給する。さらに別の、または代替の例では、時間間隔の第2の部分の間に受け取られた入力電力は供給電力の約5％から約95％を供給することができ、電力バッファ128に蓄積された電力は供給電力の残りの部分を供給することができる。
【０１０３】
加えて、時間間隔中に、光センサー138および／または（1つもしくは複数の）トリガーセンサー140は、紫外線光源110の動作に関連した動作状態を感知し、制御装置136に、動作状態に関連した入力パラメーターを指示するセンサー信号を提供することができる。センサー信号に基づいて、制御装置136は電力変換器114にフィードバック信号を提供して、電力変換器114に、入力パラメーターに基づいて、供給電力の電気的パラメーターを調整させることができる。
【０１０４】
これに加えて、または代替として、時間間隔中に、光センサー138および／または（1つもしくは複数の）トリガーセンサー140はオーバーライド状態を感知することもでき、制御装置136はそれに応答して、光制御システム100の1つまたは複数の構成要素を停止させるために1つまたは複数のスイッチ142A〜142Cにオーバーライド信号を提供することができる。
【０１０５】
図1〜図5に関連して上述した例では、電力変換器114は、紫外線光源110に電力供給するための光制御システム100の一部である。しかしながら、上記のように、光制御システム100の態様は、他の種類の負荷に供給される供給電力を動的に調整するために適用することができる。図6〜図8に、さらに別の、または代替の例示的実施形態による、負荷に電力供給するための例示的システムの簡略ブロック図を示す。例では、図6〜図8に関連して説明するシステムは、図1〜図5に関連して上述した機能および／または動作（例えば、負荷に供給される供給電力の動的調整、作動もしくは動作のトリガー、および／または負荷を作動させ、もしくは動作させる決定のオーバーライド）のうちのいずれかまたはすべてを行うことができる。
【０１０６】
図6に、一例示的実施形態によるシステム600を示す。図6に示すように、システム600は、電源616、電力変換器614、負荷610、および電力制御システム676を含む。電源616は、電力変換器614に結合されており、電力変換器614に入力電力を供給するように構成される。電力変換器614は電力制御システム676に通信可能に結合されている。一般に、電力制御システム676は、入力電力を供給電力に変換するために電力変換器614によって行われる動作を制御するために電力変換器614に複数の制御信号を提供するように構成される。電力変換器614は負荷610に結合されており、負荷610に供給電力を供給するように構成される。負荷610は供給電力を使用して動作を行うことができる。上述した例では、負荷610を紫外線光源110とすることができる。しかしながら、他の例では、負荷610は、これに加えて、または代替として、非紫外線光源（例えば、レーザー）、モーター、進行波管（travelling wave tube（TWT））、レーダー装置、電子スラスター（例えば、推力を提供するために相対論的速度でイオンを加速するスラスター）、レーザー干渉計ゲージ、一定不変の出力を使用して光を発する光源、および／または一定不変の出力を使用して熱を発生する装置とすることもできる。
【０１０７】
より一般的には、負荷610は、比較的正確な電圧および／または電流供給から利益を得ることができる任意の負荷であり得る。例えば、負荷610が電子スラスターを含む一実施態様では、電子スラスターの効率（よって、衛星を衛星の耐用年数にわたって特定の軌道に保持する能力）を、少なくとも一部は、経時的に電子スラスターに供給される電圧の正確な制御に基づくものとすることができる。加えて、例えば、負荷610がレーザー干渉計ゲージを含む一実施態様では、レーザー干渉計ゲージを使用して（例えば、航空機上で）、胴体部分を嵌合するためのシム厚を決定することもできる。そのような実施態様では、比較的高精度の電圧は有利には比較的高精度のレーザー干渉計ゲージを提供し、システム構成要素の経年劣化を補償する助けとなるようにレーザー干渉計ゲージに供給される電力を動的に調整するのに役立つ。
【０１０８】
電力変換器614は入力電力を供給電力に変換する。例では、供給電力は入力電力と異なる交流波形を有し得る。例えば、供給電力は入力電力と異なる周波数、電圧、および／または電流を有し得る。図6に示すように、電力変換器614は、入力618、1つまたは複数の電力制御モジュール630、628、634、および出力620を含むことができる。電力変換器614は、入力618で電源616から入力電力を受け取り、出力620で負荷610に供給電力を出力する。
【０１０９】
一般に、電力制御モジュール630、628、634は、電力変換器614を介して伝送される電力の1つまたは複数の電気的パラメーターを調整するように、電力制御システム676からの制御信号に基づいて動作することができる。例えば、図6では、電力制御モジュール630、628、634は、第1の電力制御モジュール630、第2の電力制御モジュール628、および第3の電力制御モジュール634を含む。第1の電力制御モジュール630は、入力618から入力電力を受け取り、第2の電力制御モジュール628および／または第3の電力制御モジュール634に第1の調整可能な電力を出力することができる。第2の電力制御モジュール628は、第1の電力制御モジュール630から第1の調整可能な電力を受け取り、第3の電力制御モジュール634に第2の調整可能な電力を出力することができる。第3の電力制御モジュール634は、第1の電力制御モジュール630からの第1の調整可能な電力および第2の電力制御モジュール628からの第2の調整可能な電力を受け取り、出力620に第3の調整可能な電力を出力することができる。
【０１１０】
この例では、負荷610に供給される供給電力は第3の調整可能な電力である。しかしながら、第3の電力制御モジュール634を省略し得る他の例では、供給電力は、第1の調整可能な電力、第2の調整可能な電力、または第1の調整可能な電力と第2の調整可能な電力の組み合わせを含むことができる。
【０１１１】
また、図6に示すように、第1のフィードバックモジュール652は、第1の電力制御モジュール630によって出力された第1の調整可能な電力の指示を受け取り、第1の電力制御モジュール630に、（i）第1の調整可能な電力の指示と（ii）制御装置636から受け取った第1の制御信号とに基づくものである信号を提供することができる。例えば、第1の電力制御モジュール630および第1のフィードバックモジュール652は、例えば、フィードバック回路352、452を含むPFC330、430などのPFCを形成することができる。例として、第2の電力制御モジュール628は電力バッファ（例えば電力バッファ128）を含むことができ、第3の電力制御モジュール634はPWM（例えばPWM134）を含むことができる。しかしながら、他の例では、電力制御モジュール630、628、634のうちのいずれか1つまたはそれらの組み合わせは、PFC、PWM、および／または電力バッファを含むことができる。
【０１１２】
電力制御システム676は、制御装置636、および1つまたは複数のセンサー678を含むことができる。（1つもしくは複数の）センサー678は、例えば、1つもしくは複数のトリガーセンサー640（例えばトリガーセンサー140）および／または1つもしくは複数の光センサー138（より一般的には、負荷610の動作出力を直接測定する負荷センサー680）を含むことができる。よって、（1つまたは複数の）センサー678は、負荷および／または負荷が位置する環境に関連する状態（例えば、トリガー状態、オーバーライド状態、および／または動作状態）を感知することができる。加えて、（1つまたは複数の）センサー678は、感知された状態に関連するパラメーターを指示するために制御装置636に信号を提供することもできる。制御装置636は、センサー678から信号を受け取り、そのパラメーターに基づいて、システム600をトリガーするべきか、システム600を停止させるべきか、かつ／または第1の調整可能な電力、第2の調整可能な電力、および／もしくは第3の調整可能な電力を調整すべきかを決定することができる。例えば、上述したように、制御装置636は、パラメーターと1つまたは複数の閾値との比較を行い、比較に基づいて上記の動作を行うべきかどうかを決定することができる。これに加えて、または代替として、制御装置636は、制御装置636が（1つまたは複数の）センサー678から信号を受け取ったことに応答して、動作の一部または全部を行うという決定を自動的に下すこともできる。
【０１１３】
制御装置636は電力制御システム676の一部として描かれているが、制御装置636は、これに加えて、または代替として、（すなわち、図1〜図5の制御装置136に関連して上述したように）例示的実施形態における第1の電力制御モジュール630、第2の電力制御モジュール628、第3の電力制御モジュール634、（1つもしくは複数の）トリガーセンサー640、（1つもしくは複数の）負荷センサー680、および／または負荷610と一体化することもできる。よって、上述したように、システム600の構成要素は、例では互いに直接的および／または間接的に通信することができる。
【０１１４】
制御装置636が（1つまたは複数の）センサー678からの信号に基づいて措置を講じるべきであると決定したことに応答して、制御装置636は電力変換器にさらなる信号を提供して、システム600をトリガーし、システム600を停止させ、かつ／または、第1の調整可能な電力、第2の調整可能な電力、および／もしくは第3の調整可能な電力の電気的パラメーターを調整することができる。例えば、制御装置636は第1のフィードバックモジュール652に第1のフィードバック信号を提供して、第1の電力制御モジュール630によって出力される第1の調整可能な電力の電気的パラメーターを調整することができる。例えば、第1のフィードバックモジュール652は論理回路（例えば、論理回路360や論理回路460）を含むことができ、論理回路は、上述したように、第1の制御信号を受け取り、第1の制御信号に基づいて複数の基準電圧の中から基準電圧を選択する。第1のフィードバックモジュール652はまた、図3〜図4に関連して上述したように複数のオペアンプを含むこともできる。
【０１１５】
加えて、例えば、制御装置636は第2の電力制御モジュール628に第2の制御信号を供給することもできる。第2の制御信号に基づいて、第2の電力制御モジュール628は第2の調整可能な電力の電気的パラメーターを調整することができる。同様に、例えば、制御装置636は、第3の電力制御モジュール634に第3の制御信号を供給することもできる。第3の制御信号に基づいて、第3の電力制御モジュール634は第3の調整可能な電力の電気的パラメーターを調整することができる。
【０１１６】
この構成では、電力制御システム676は、負荷610に供給される供給電力の1つまたは複数の調整を達成するために、システム600の動作中に同時にまたは別々に第1の制御信号、第2の制御信号、および／または第3の制御信号を選択的に送ることができる。これにより有利には、供給電力を比較的うまく制御することができ、かつ／または（1つもしくは複数の）センサー678によって感知された状態に基づいて負荷610の動作を微調整することができる。
【０１１７】
例えば、第1の時点で、制御装置636は、第1のフィードバックモジュール652に第1のフィードバック信号を送って、第1の調整可能な電力の電気的パラメーターを調整することができる。第2の時点で、制御装置636は、第2の電力制御モジュール628に第2の制御信号を送って、第2の調整可能な電力の電気的パラメーターを調整することができる。第3の時点で、制御装置636は、第3の電力制御モジュール634に第3の制御信号を送って、第3の調整可能な電力の電気的パラメーターを調整することができる。第4の時点で、制御装置636は、第1のフィードバックモジュール652に第1の制御信号を送って、第1の調整可能な電力の電気的パラメーターを調整し、第2の電力制御モジュール628に第2の制御信号を送って、第2の調整可能な電力の電気的パラメーターを調整することができる。第5の時点で、制御装置636は、第2の電力制御モジュール628に第2の制御信号を送って、第2の調整可能な電力の電気的パラメーターを調整し、第3の電力制御モジュール634に第3の制御信号を送って、第3の調整可能な電力の電気的パラメーターを調整することができる。第6の時点で、制御装置636は、第1のフィードバックモジュール652に第1の制御信号を送って、第1の調整可能な電力の電気的パラメーターを調整し、第2の電力制御モジュール628に第2の制御信号を送って、第2の調整可能な電力の電気的パラメーターを調整し、第3の電力制御モジュール634に第3の制御信号を送って、第3の調整可能な電力の電気的パラメーターを調整することができる。
【０１１８】
上記のように、電力変換器614は、第1の電力制御モジュール630、第2の電力制御モジュール628、および第3の電力制御モジュール634のうちの1つまたは複数を含むことができる。したがって、いくつかの例では、電力変換器614は、第1の電力制御モジュール630および第1のフィードバックモジュール652を含み、第2の電力制御モジュール628および／または第3の電力制御モジュール634を省くことができる。他の例では、電力変換器614は、第2の電力制御モジュール628を含み、第1の電力制御モジュール630（および第1のフィードバックモジュール652）ならびに／または第3の電力制御モジュール634を省くことができる。他の例では、電力変換器614は、第3の電力制御モジュール634を含み、第1の電力制御モジュール630（および第1のフィードバックモジュール652）ならびに／または第2の電力制御モジュール628を省くことができる。
【０１１９】
また、他の例では、電力変換器614は、第1の電力制御モジュール630と第1のフィードバックモジュール652との結合と同様の方法で第3の電力制御モジュール634に通信可能に結合されたフィードバックモジュールを含むこともでき、第3の電力制御モジュール634に結合されたフィードバック制御モジュールは、制御装置636から制御信号を受け取ることができる。そのような例では、フィードバックモジュールは、第3の電力制御モジュール634によって出力された第3の調整可能な電力の指示を受け取り、第3の電力制御モジュール634に、（i）第3の調整可能な電力の指示と（ii）制御装置636から受け取った制御信号とに基づくものである信号を提供することができる。
【０１２０】
図7に、別の実施形態によるシステム700を示す。図7に示すように、システム700は、システム700が第2の電力制御モジュール628および第3の電力制御モジュール634を省いていることを除いて、図6に示すシステム600と実質的に同様である。この例では、第1の電力制御モジュール630は、第1の調整可能な電力を供給電力として出力620に供給する。
【０１２１】
加えて、図7に示すように、第1の電力制御モジュール630は、電源616から入力電力を受け取るように構成された第1の入力782と、第1のフィードバックモジュール652から信号を受け取るように構成された第2の入力784と、第1の入力782における入力電力と第2の入力784における信号とに基づくものである供給電力を出力するように構成された出力786とを含むことができる。上記のように、第1のフィードバックモジュール652は、出力786と第2の入力784とに結合されており、第1のフィードバックモジュール652は、（1つまたは複数の）センサー678によって感知可能な状態に関連した入力パラメーターに基づいて第2の入力784で信号を提供するように構成される。また、上記のように、（1つまたは複数の）センサー678によって感知される状態は、負荷610の動作に関連したものとすることができる。
【０１２２】
一例では、第1の電力制御モジュール630は、第1の入力782と、第2の入力784と、出力786とに結合されたPFCを含むことができる。別の例では、第1の電力制御モジュール630は、これに加えて、または代替として、第1の入力782と、第2の入力784と、出力786とに結合された電力バッファを含むこともできる。別の例では、第1の電力制御モジュール630は、これに加えて、または代替として、第1の入力782と、第2の入力784と、出力786とに結合されたPWMを含むこともできる。また、いくつかの例では、第1の電力制御モジュール630を第1のフィードバックモジュール652と一体化することもできる。
【０１２３】
図8に、別の実施形態によるシステム800を示す。図8に示すように、システム800は、システム800が第3の電力制御モジュール634を省いていることを除いて、図6に示すシステム600と実質的に同様である。これに加えて、図8では、電力変換器614は、第2の電力制御モジュール628の出力に結合された、制御装置636と通信する任意選択の第2のフィードバックモジュール852をさらに含む。この構成では、第2のフィードバックモジュール852は、第2の電力制御モジュール628によって出力された第2の調整可能な電力の指示を受け取り、第2の電力制御モジュール628に、（i）第2の調整可能な電力の指示と（ii）制御装置636から受け取った第2の制御信号とに基づくものである信号を提供することができる。
【０１２４】
一般に、（1つまたは複数の）フィードバック制御モジュールは、（1つまたは複数の）電力制御モジュール（例えば、PFC130、PWM134、および／または電力バッファ128）が、負荷610の寿命にわたって負荷610を所望の品質および／または性能レベルで動作させる（と共に負荷610の平均耐用年数を向上させる）ための電力仕様を満たす出力を提供するのを助けるために、本開示のシステムに（1つまたは複数の）電気的パラメーターの正確で高精度な制御を提供することができる。例えば、（1つまたは複数の）フィードバック制御モジュールは、システムの安全で確実な動作を提供しながら、電力バッファ128が電力バッファ能力の正確さおよび精度を高めるのを助けることができる。これに加えて、例えば、（1つまたは複数の）フィードバック制御モジュールは、第1の電力制御モジュール（例えば、PFC130など）が直流出力の正確さおよび精度を向上させるのにも役立ち、これにより、負荷610に正確な供給電力を供給し、よって、より長い平均耐用年数と併せて負荷610の比較的一貫した動作を容易にするのを助けることができる。また、（1つまたは複数の）フィードバック制御モジュールは、第2の電力制御モジュール（例えば、PWM134）が負荷610に供給される電力の正確さおよび精度を向上させるのにも役立ち、これにより、より長い平均耐用年数と併せて負荷610の比較的一貫した動作の提供を助けることができる。
【０１２５】
次に図9を参照すると、一例示的実施形態による紫外線光源を動作させるプロセス900のフローチャートが示されている。図9に示すように、ブロック910で、プロセス900は、時間間隔の第1の部分および時間間隔の第2の部分の間に電力変換器の入力で電源から入力電力を受け取るステップを含む。ブロック912で、時間間隔の第1の部分の間に、プロセス900は入力電力を使用して電力バッファに電力を蓄積するステップを含む。ブロック914で、時間間隔の第2の部分の間に、プロセス900は電力変換器の出力から供給電力を出力するステップを含む。供給電力は、（i）時間間隔の第2の部分の間に入力で受け取った入力電力と（ii）時間間隔の第1の部分の間に電力バッファに蓄積された電力とからの電力の組み合わせを含む。ブロック916で、プロセス900は、時間間隔の第2の部分の間に供給電力を使用して、目標抗菌効果レベルを提供する強度で紫外線を発するように紫外線光源を作動させるステップを含む。プロセス900では、時間間隔の第2の部分の間に受け取られる入力電力は、それ自体では、目標抗菌効果レベルを提供する強度で紫外線を発するように紫外線光源を作動させるには不十分である。
【０１２６】
図10〜図15に、さらなる例によるプロセスのさらに別の態様を示す。図10に示すように、プロセス900は、ブロック918で、紫外線の光学パラメーターを測定するために紫外線光源によって発せられた紫外線を感知するステップをさらに含むことができる。一例では、光学パラメーターは、紫外線光源に対する電力変換器の共振に関連したものとすることができる。ブロック920で、プロセス900は、測定された光学パラメーターに基づいて、電力変換器を紫外線光源の周波数に同調させるためにフィードバックを提供するステップを含むことができる。
【０１２７】
図11に示すように、ブロック918で光学パラメーターを測定するために紫外線を感知するステップは、ブロック922で紫外線の放射照度を測定するステップを含むことができる。図12に示すように、プロセス900は、電力バッファに電力を蓄積するステップの前に、ブロック924で入力電力を交流電力から直流電力に変換するステップを含むことができる。図13に示すように、ブロック912で電力バッファに電力を蓄積するステップは、ブロック926で互いに結合された複数の直流・直流変換器に直流電力を蓄積するステップを含むことができる。図14に示すように、ブロック926で複数の直流・直流変換器に直流電力を蓄積するステップは、ブロック928で第1の直流・直流変換器において直流電力を降圧し、第2の直流・直流変換器において直流電力を昇圧するステップを含むことができる。図15に示すように、ブロック924で入力電力を変換するステップは、ブロック930で入力電力の力率を改善するステップを含むことができる。
【０１２８】
プロセス900は、線形プロセスおよび／または非線形プロセスとすることができる。図9〜図14に示すブロックのいずれも、プロセス内の特定の論理機能またはステップを実施するためにプロセッサーによって実行可能な1つまたは複数の命令を含む、モジュール、セグメント、またはプログラムコードの一部分を表し得る。プログラムコードは、例えば、ディスクやハードドライブを含む記憶装置などの任意の種類のコンピューター読み取り可能な媒体またはデータ記憶装置に格納され得る。さらに、プログラムコードは、機械読み取り可能な形式でコンピューター読み取り可能な記憶媒体上に、または他の非一時的な媒体もしくは製品上に符号化することができる。コンピューター読み取り可能な媒体は、例えば、レジスタメモリ、プロセッサーキャッシュ、ランダム・アクセス・メモリ（RAM）のような短期間にわたってデータを格納するコンピューター読み取り可能な媒体などの非一時的なコンピューター読み取り可能な媒体またはメモリを含み得る。コンピューター読み取り可能な媒体はまた、例えば、読み取り専用メモリ（ROM）、光ディスクや磁気ディスク、コンパクトディスク読み取り専用メモリ（CD‐ROM）のような、二次記憶や永続的長期記憶などの非一時的な媒体も含み得る。コンピューター読み取り可能な媒体はまた、他の任意の揮発性または不揮発性記憶システムでもあってもよい。コンピューター読み取り可能な媒体は、例えば、有形のコンピューター読み取り可能な記憶媒体と見なされてもよい。
【０１２９】
いくつかの例では、本明細書に記載される装置および／またはシステムの構成要素は、それらの構成要素が（ハードウェアおよび／またはソフトウェアで）実際に構成され、構築されて性能を実現するように機能を実行するように構成され得る。その場合、例示的な構成は、システムに機能を実行させる命令を実行する1つまたは複数のプロセッサーを含む。同様に、装置および／またはシステムの構成要素は、特定の方法で動作するときなどに、機能を実行するように配置もしくは適合され、機能を実行することができ、または機能を実行するのに適するようにも構成され得る。
【０１３０】
さらに、本開示は、以下の各項による実施形態を含む。
【０１３１】
項1．電源（116、616）から受け取った入力電力を供給電力に変換する電力変換器（114、614）であって、電力変換器（114、614）が、供給電力の電気的パラメーターを調整可能に制御するように構成された力率改善回路（PFC）（130、330、430）を含む電力変換器（114、614）と、
供給電力を使用して、供給電力の電気的パラメーターに関連した強度で光を発する光源（110）と、
光源（110）の動作に関連した状態を感知するセンサー（138、140、640、678、680）と、
PFC（130、330、430）とセンサー（138、140、640、678、680）とに通信可能に結合された制御装置（136、636）であって、制御装置（136、636）が、
センサー（138、140、640、678、680）から、センサー（138、140、640、678、680）によって感知された状態に関連した入力パラメーターを指示するセンサー信号を受け取り、
センサー信号に基づいて、PFC（130、330、430）にフィードバック信号を提供して、PFC（130、330、430）に、入力パラメーターに基づいて供給電力の電気的パラメーターを調整させる、
ように構成される、制御装置（136、636）と
を含む、光制御システム（100、600、799、800）。
【０１３２】
項2．光源（110）が、紫外線を発するように構成された紫外線（UV）光源（110）である、項1の光制御システム（100、600、799、800）。
【０１３３】
項3．光源（110）が、遠紫外スペクトル内の波長で紫外線を発するように構成される、項2の光制御システム（100、600、799、800）。
【０１３４】
項4．電気的パラメーターが、供給電力の電圧またはワット数の少なくとも1つである、項1、2、または3のいずれか一項の光制御システム（100、600、799、800）。
【０１３５】
項5．センサー（138、140、640、678、680）が光源（110）によって発せられた光を感知するように構成された光センサー（138）であり、
入力パラメーターが、光源（110）によって発せられた光の放射照度、光源（110）の電圧レベル、光源（110）の有効性レベル、光源（110）の機齢、または光源（110）の動作周波数のうちの少なくとも1つに関連したものである、項1から4のいずれか一項の光制御システム（100、600、799、800）。
【０１３６】
項6．センサー（138、140、640、678、680）が、光源（110）が光を発する環境の占有状態を感知するように構成されたトリガーセンサー（140、640）であり、
入力パラメーターが、トリガーセンサー（140、640）によって感知された占有状態に関連したものである、項2から4のいずれか一項の光制御システム（100、600、799、800）。
【０１３７】
項7．センサー（138、140、640、678、680）が、光源（110）が光を発する環境の占有状態を感知するように構成されたトリガーセンサー（140、640）であり、
入力パラメーターが、トリガーセンサー（140、640）によって感知された占有状態に関連したものである、項1の光制御システム（100、600、799、800）。
【０１３８】
項8．PFC（130、330、430）が、
電源（116、616）から入力電力を受け取るように構成された第1のPFC入力（346、446）と、
フィードバック回路（352、452）から信号を受け取るように構成された第2のPFC入力（348、448）と、
第1のPFC入力（346、446）における入力電力と第2のPFC入力（348、448）における信号とに基づくものである直流電力を出力するように構成されたPFC出力（350、450）と、
を含み、
フィードバック回路（352、452）が、PFC出力（350、450）と第2のPFC入力（348、448）とに結合されており、
第2のPFC入力（348、448）でフィードバック回路（352、452）によって提供される信号が入力パラメーターに基づくものである、項1から7のいずれか一項の光制御システム（100、600、799、800）。
【０１３９】
項9．フィードバック回路（352、452）が、
第1の反転入力（356A、456A）、第1の非反転入力（356B、456B）、および第1の出力（356C、456C）を含む第1の演算増幅器（オペアンプ）（356、456）であって、第1のオペアンプ（356、456）の第1の出力（356C、456C）が第2のPFC入力（348、448）に結合されており、第1のオペアンプ（356、456）の第1の反転入力（356A、456A）がPFC出力（350、450）に結合されている、第1のオペアンプ（356、456）と、
第2の反転入力（362A、462A）、第2の非反転入力（362B、462B）、および第2の出力（362C、462C）を含む第2のオペアンプ（362、462）であって、第2のオペアンプ（362、462）の第2の出力（362C、462C）が、第1のオペアンプ（356、456）の第1の非反転入力（356B、456B）に結合されており、第2のオペアンプ（362、462）の第2の反転入力（362A、462A）が接地（364、464）に結合されている、第2のオペアンプ（362、462）と、
第2のオペアンプ（362、462）の第2の反転入力（362B、462B）に結合された論理回路（360、460）であって、論理回路（360、460）が、第2のオペアンプ（362、462）の第2の非反転入力（362B、462B）に基準電圧を供給するように構成され、論理回路（360、460）が、入力パラメーターに基づいて複数の基準電圧の中から基準電圧を選択するように構成される、論理回路（360、460）と
を含む、項8の光制御システム（100、600、799、800）。
【０１４０】
項10．論理回路（360、460）が、入力パラメーターに基づくものである出力電圧を有する可変分圧器を含む、項9の光制御システム（100、600、799、800）。
【０１４１】
項11．電力変換器（114、614）が、PFC（130、330、430）のPFC出力（350、450）に結合され、制御装置（136、636）に通信可能に結合されたパルス幅変調器（PWM）（134）をさらに含み、
PWM（134）が、直流電力を交流（AC）電力に変換するように構成され、
制御装置（136、636）が、PWM（134）にフィードバック信号を提供して、PWM（134）に、入力パラメーターに基づいて供給電力の電気的パラメーターを調整させるように構成される、項1から10のいずれか一項の光制御システム（100、600、799、800）。
【０１４２】
項12．制御装置（136、636）と通信するスイッチ（142A、142B、142C）
をさらに含み、
センサー（138、140、640、678、680）が、オーバーライド状態を検出するように構成されるトリガーセンサー（140、640）を含み、
制御装置（136、636）が、トリガーセンサー（140、640）がオーバーライド状態を検出したことに応答して、光源（110）が供給電力を受け取るのを妨げるようにスイッチ（142A、142B、142C）を切り換えるようにさらに構成される、項1から11のいずれか一項の光制御システム（100、600、799、800）。
【０１４３】
項13．時間間隔中に電源（116、616）から入力電力を受け取るように構成された入力（118、618）と、
時間間隔の第1の部分の間に入力（118、618）で受け取った入力電力を使用して電力を蓄積するように構成された電力バッファ（128）と、
時間間隔の第2の部分の間に供給電力を出力するように構成された出力（120、620）であって、供給電力が、（i）時間間隔の第2の部分の間に入力（118、618）で受け取った入力電力と（ii）時間間隔の第1の部分の間に電力バッファ（128）に蓄積された電力とからの電力の組み合わせを含む、出力（120、620）と
入力（118、618）と出力（120、620）との間の力率改善回路（PFC）（130、330、430）であって、PFC（130、330、430）が、入力パラメーターに基づいて供給電力の電気的パラメーターを調整するように構成される、PFC（130、330、430）と
を含む、電力変換器（114、614）と、
時間間隔の第2の部分の間の供給電力を使用して、目標強度で光を発する光源（110）と
を含み、
時間間隔の第2の部分の間に受け取られる入力電力が、それ自体では、光源（110）が目標強度で光を発するには不十分である、光制御システム（100、600、799、800）。
【０１４４】
項14．PFC（130、330、430）が、光源（110）から入力パラメーターを受け取るように構成され、
入力パラメーターが、光源（110）によって発せられた光の放射照度、光源（110）の電圧レベル、光源（110）の有効性レベル、光源（110）の機齢、または光源（110）の動作周波数のうちの少なくとも1つに関連したものである、項13の光制御システム（100、600、799、800）。
【０１４５】
項15．PFC（130、330、430）が、電力バッファ（128）から入力パラメーターを受け取るように構成され、
入力パラメーターが、電力バッファ（128）に蓄積された電力量を指示する、項13の光制御システム（100、600、799、800）。
【０１４６】
項16．PFC（130、330、430）が、トリガーセンサー（140、640）から入力パラメーターを受け取るように構成され、
入力パラメーターが、光源（110）が光を発する環境の占有状態に関連したものである、項13の光制御システム（100、600、799、800）。
【０１４７】
項17．電力バッファ（128）に蓄積された電力量を測定する第1のトリガーセンサー（140、640）と、
光源（110）が光を発する環境の占有状態を感知する第2のトリガーセンサー（140、640）と、
第1のトリガーセンサー（140、640）および第2のトリガーセンサー（140、640）と通信する制御装置（136、636）であって、制御装置（136、636）が、
第1のトリガーセンサー（140、640）から受け取ったトリガーセンサー信号に応答して、光源（110）を作動させるプロセスを開始し、
プロセス中に第2のトリガーセンサー（140、640）から受け取ったオーバーライド信号に応答して、光源（110）を作動させるためのプロセスを終了する
ように構成される制御装置（136、636）と
をさらに含む、項16の光制御システム（100、600、799、800）。
【０１４８】
項18．第1のトリガーセンサー（140、640）が、電力バッファ（128）に蓄積された電力量が閾値電力量より大きいことを指示し、
第2のトリガーセンサー（140、640）が、環境が占有されていることを指示する、項16または17の光制御システム（100、600、799、800）。
【０１４９】
項19．PFC（130、330、430）が、基準電圧として可変入力を有する演算増幅器（356、362、456、462）を含む、項13から18のいずれか一項の光制御システム（100、600、799、800）。
【０１５０】
項20．PFC（130、330、430）が可変分圧器を含む、項13から19のいずれか一項の光制御システム（100、600、799、800）。
【０１５１】
項21．電源（116、616）から受け取った入力電力を供給電力に変換する電力変換器（114、614）であって、電力変換器（114、614）が、供給電力の電気的パラメーターを調整可能に制御するように構成された1つまたは複数の電力制御モジュール（628、630、634）を含む電力変換器（114、614）と、
負荷（610）の動作に関連した状態を感知するセンサー（138、140、640、678、680）と、
1つまたは複数の電力制御モジュール（628、630、634）に通信可能に結合された制御装置（136、636）であって、制御装置（136、636）が、
センサー（138、140、640、678、680）から、センサー（138、140、640、678、680）によって感知された状態に関連した入力パラメーターを指示するセンサー信号を受け取り、
センサー信号に基づいて、1つまたは複数の電力制御モジュール（628、630、634）にフィードバック信号を提供して、1つまたは複数の電力制御モジュール（628、630、634）に、入力パラメーターに基づいて、供給電力の電気的パラメーターを調整させる
ように構成される、制御装置（136、636）と
を含む、負荷（610）に電力を供給するためのシステム（100、600、799、800）。
【０１５２】
項22．負荷（610）が、光源（110）、モーター、進行波管（TWT）、レーダー装置、電子スラスター、およびレーザー干渉計ゲージのうちの少なくとも1つである、項21のシステム（100、600、799、800）。
【０１５３】
項23．電気的パラメーターが、供給電力の電圧またはワット数の少なくとも1つである、項21または22のシステム（100、600、799、800）。
【０１５４】
項24．電気的パラメーターが、供給電力の周波数またはパルス幅の少なくとも1つである、項21または22のシステム（100、600、799、800）。
【０１５５】
項25．1つまたは複数の電力制御モジュール（628、630、634）が、入力電力を受け取り、出力（786）で供給電力として第1の調整可能な電力を供給するように構成された第1の電力制御モジュール（630）を含み、
第1の電力制御モジュール（630）が、電源（116、616）から入力電力を受け取るように構成された第1の入力（782）と、フィードバックモジュール（652）から信号を受け取るように構成された第2の入力（784）と、供給電力を出力するように構成された出力（786）とを含み、
フィードバックモジュール（652）が、出力（786）と第2の入力（784）とに結合されており、
フィードバックモジュール（652）が、入力パラメーターに基づいて第2の入力（784）で信号を提供するように構成される、項21から24のいずれか一項のシステム（100、600、799、800）。
【０１５６】
項26．フィードバックモジュール（652）が第1の電力制御モジュール（630）と一体化されている、項25のシステム（100、600、799、800）。
【０１５７】
項27．1つまたは複数の電力制御モジュール（628、630、634）が、第1のフィードバックモジュール（652）に結合された第1の電力制御モジュール（630）と、第2のフィードバックモジュール（852）に結合された第2の電力制御モジュール（628）とを含み、
第1の電力制御モジュール（630）が、入力電力と第1のフィードバックモジュール（652）からの第1の信号とに基づいて、第2の電力制御モジュール（628）に第1の調整可能な電力を供給するように構成され、
第2の電力制御モジュール（628）が、第1の調整可能な電力と第2のフィードバックモジュール（852）からの第2の信号とに基づいて、供給電力として第2の調整可能な電力を供給するように構成される、項21から26のいずれか一項のシステム（100、600、799、800）。
【０１５８】
項28．1つまたは複数の電力制御モジュール（628、630、634）にフィードバック信号を提供するために、制御装置（136、636）が、
第1のフィードバックモジュール（652）に第1の制御信号を提供し、
第2のフィードバックモジュール（852）に第2の制御信号を提供する
ように構成され、
第1のフィードバックモジュール（652）が、制御装置（136、636）からの第1の制御信号に基づいて、第1の調整可能な電力の電気的パラメーターを調整するために第1の電力制御モジュール（630）に第1の信号を提供するように構成され、
第2のフィードバックモジュール（852）が、制御装置（136、636）からの第2の制御信号に基づいて、第2の調整可能な電力の電気的パラメーターを調整するために第2の電力制御モジュール（628）に第2の信号を提供するように構成される、項27のシステム（100、600、799、800）。
【０１５９】
項29．1つまたは複数の電力制御モジュール（628、630、634）が、第1の電力制御モジュール（630）、第2の電力制御モジュール（628）、および第3の電力制御モジュール（634）を含み、
第1の電力制御モジュール（630）が、電源（116、616）から入力電力を受け取り、第2の電力制御モジュール（628）と第3の電力制御モジュール（634）とに第1の調整可能な電力を出力するように構成され、
第2の電力制御モジュール（628）が、第1の電力制御モジュール（630）から第1の調整可能な電力を受け取り、第3の電力制御モジュール（634）に第2の調整可能な電力を出力するように構成され、
第3の電力制御モジュール（634）が、第1の電力制御モジュール（630）からの第1の調整可能な電力および第2の電力制御モジュール（628）からの第2の調整可能な電力を受け取り、供給電力として第3の調整可能な電力を出力するように構成される、項21から26のいずれか一項のシステム（100、600、799、800）。
【０１６０】
項30．第1の電力制御モジュール（630）が第1のフィードバックモジュール（652）に結合されており、
第1の電力制御モジュール（630）が、入力電力と第1のフィードバックモジュール（652）からの第1の信号とに基づいて、第2の電力制御モジュール（628）に第1の調整可能な電力を供給するように構成され、
1つまたは複数の電力制御モジュール（628、630、634）にフィードバック信号を提供するために、制御装置（136、636）が、
第1のフィードバックモジュール（652）に第1の制御信号を提供し、
第2の電力制御モジュール（628）に第2の制御信号を提供し、
第3の電力制御モジュール（634）に第3の制御信号を提供する
ように構成され、
第1のフィードバックモジュール（652）が、制御装置（136、636）からの第1の制御信号に基づいて、第1の調整可能な電力の電気的パラメーターを調整するために第1の電力制御モジュール（630）に第1の信号を提供するように構成され、
第2の電力制御モジュール（628）が、第1の調整可能な電力と第2の制御信号とに基づいて第2の調整可能な電力を供給するように構成され、
第3の電力制御モジュール（634）が、第1の調整可能な電力と第2の制御信号と第3の制御信号とに基づいて第3の調整可能な電力を供給するように構成される、項29のシステム（100、600、799、800）。
【０１６１】
項31．制御装置（136、636）が、第1の時点で第1の制御信号を、第2の時点で第2の制御信号を、第3の時点で第3の制御信号を提供するように構成され、
第1の時点と第2の時点と第3の時点とが互いに異なる、項30のシステム（100、600、799、800）。
【０１６２】
項32．電源（116、616）から入力電力を受け取る第1のPFC入力（346、446）と、
フィードバック回路（352、452）から信号を受け取る第2のPFC入力（348、448）と、
第1のPFC入力（346、446）における入力電力と第2のPFC入力（348、448）における信号とに基づくものである直流（DC）電力を出力するPFC出力（350、450）と、
を含み、
フィードバック回路（352、452）が、PFC出力（350、450）と第2のPFC入力（348、448）とに結合されており、
フィードバック回路（352、452）が、センサー（138、140、640、678、680）によって感知可能な状態に関連した入力パラメーターに基づいて第2のPFC入力（348、448）で信号を提供するように構成され、
状態が負荷（610）の動作に関連したものである、力率改善回路（PFC）（130、330、430）。
【０１６３】
項33．負荷（610）が光源（110）であり、
状態が、光源（110）の温度、光源（110）の動作周波数、光源（110）の残りの平均耐用年数、光源（110）の電力効率、光源（110）によって発せられた光の放射照度、光源（110）の電圧レベル、光源（110）の有効性レベル、または光源（110）の機齢のうちの少なくとも1つに関連したものである、項32のPFC（130、330、430）。
【０１６４】
項34．PFC出力（350、450）が電力バッファ（128）またはパルス幅変調器（PWM）（134）の少なくとも1つに結合されている、項32または33のPFC（130、330、430）。
【０１６５】
項35．フィードバック回路（352）が、
第1の反転入力（356A）、第1の非反転入力（356B）、および第1の出力（356C）を含む第1の演算増幅器（オペアンプ）（356）であって、第1のオペアンプ（356）の第1の出力（356C）が第2のPFC入力（348）に結合されており、第1のオペアンプ（356）の第1の反転入力（356A）がPFC出力（350）に結合されている、第1のオペアンプ（356）と、
第2の反転入力（362A）、第2の非反転入力（362B）、および第2の出力（362C）を含む第2のオペアンプ（362）であって、第2のオペアンプ（362）の第2の出力（362C）が、第1のオペアンプ（356）の第1の非反転入力（356B）に結合されており、第2のオペアンプ（362）の第2の反転入力（362A）が接地（364）に結合されている、第2のオペアンプ（362）と、
第2のオペアンプ（362）の第2の非反転入力（362B）に結合された論理回路（360）であって、論理回路（360）が、第2のオペアンプ（362）の第2の非反転入力（362B）に基準電圧を供給するように構成され、論理回路（360）が、入力パラメーターに基づいて複数の基準電圧の中から基準電圧を選択するように構成される、論理回路（360）と
を含む、項32から34のいずれか一項のPFC（130、330）。
【０１６６】
項36．論理回路（360）が、入力パラメーターに基づくものである出力電圧を有する可変分圧器を含む、項35のPFC（130、330）。
【０１６７】
項37．フィードバック回路（452）が、
第1の反転入力（456A）、第1の非反転入力（456B）、および第1の出力（456C）を含む第1のオペアンプ（456）であって、第1のオペアンプ（456）の第1の出力（456C）が第2のPFC入力（448）に結合されており、第1のオペアンプ（456）の第1の反転入力（456A）がPFC出力（450）に結合されている、第1のオペアンプ（456）と、
第2の反転入力（462A）、第2の非反転入力（462B）、および第2の出力（462C）を含む第2のオペアンプ（462）であって、第2のオペアンプ（462）の第2の出力（462C）が、PFC出力（450）と第1のオペアンプ（456）の第1の非反転入力（456B）とに結合されており、第2のオペアンプ（462）の第2の反転入力（462A）が接地（464）に結合されている、第2のオペアンプ（462）と、
第1のオペアンプ（456）の第1の反転入力（456A）と第2のオペアンプ（462）の第2の反転入力（462A）とに結合された基準電圧源（466）であって、基準電圧源（466）が、第1の反転入力（456A）と第2の反転入力（462A）とに固定電圧を供給するように構成される、基準電圧源（466）と、
第2のオペアンプ（462）の第2の非反転入力（462B）に結合された論理回路（460）であって、論理回路（460）が、第2のオペアンプ（462）の第2の非反転入力（462B）に調整可能な基準電圧を供給するように構成され、論理回路（460）が、入力パラメーターに基づいて複数の基準電圧の中から調整可能な基準電圧を選択するように構成される、論理回路（460）と
を含む、項32のPFC（130、430）。
【０１６８】
項38．論理回路（460）が、入力パラメーターに基づくものである出力電圧を有する可変分圧器を含む、項37のPFC（130、430）。
【０１６９】
項39．電源（116、616）から入力電力を受け取る第1の入力（782）と、
フィードバックモジュール（652）から信号を受け取る第2の入力（784）と、
第1の入力（782）における入力電力と第2の入力（784）における信号とに基づくものである供給電力を出力する出力（786）と、
を含み、
フィードバックモジュール（652）が、出力（786）と第2の入力（784）とに結合されており、
フィードバックモジュール（652）が、センサー（138、140、640、678、680）によって感知可能な状態に関連した入力パラメーターに基づいて第2の入力（784）で信号を提供するように構成され、
状態が負荷（610）の動作に関連したものである、電力制御モジュール（630）。
【０１７０】
項40．状態が、負荷（610）の温度、負荷（610）の動作周波数、負荷（610）の残りの平均耐用年数、負荷（610）の電力効率、負荷（610）の電圧レベル、または負荷（610）の機齢のうちの少なくとも1つに関連したものである、項39の電力制御モジュール（630）。
【０１７１】
項41．第1の入力（782）と第2の入力（784）と出力（786）とに結合された力率改善回路（PFC）（130、330、430）をさらに含む、項39または40の電力制御モジュール（630）。
【０１７２】
項42．第1の入力（782）と第2の入力（784）と出力（786）とに結合されたパルス幅変調器（134）をさらに含む、項39または40の電力制御モジュール（630）。
【０１７３】
項43．第1の入力（782）と第2の入力（784）と出力（786）とに結合された電力バッファ（128）をさらに含む、項39または40の電力制御モジュール（630）。
【０１７４】
項44．フィードバックモジュール（652）がフィードバック回路（352）を含み、フィードバック回路（352）が、
第1の反転入力（356A）、第1の非反転入力（356B）、および第1の出力（356C）を含む第1の演算増幅器（オペアンプ）（356）であって、第1のオペアンプ（356）の第1の出力（356C）が第2の入力（784）に結合されており、第1のオペアンプ（356）の第1の反転入力（356A）が出力（786）に結合されている、第1のオペアンプ（356）と、
第2の反転入力（362A）、第2の非反転入力（362B）、および第2の出力（362C）を含む第2のオペアンプ（362）であって、第2のオペアンプ（362）の第2の出力（362C）が、第1のオペアンプ（356）の第1の非反転入力（356B）に結合されており、第2のオペアンプ（362）の第2の反転入力（362A）が接地（364）に結合されている、第2のオペアンプ（362）と、
第2のオペアンプ（362）の第2の非反転入力（362B）に結合された論理回路（360）であって、論理回路（360）が、第2のオペアンプ（362）の第2の非反転入力（362B）に基準電圧を供給するように構成され、論理回路（360）が、入力パラメーターに基づいて複数の基準電圧の中から基準電圧を選択するように構成される、論理回路（360）と
を含む、項39または40の電力制御モジュール（630）。
【０１７５】
項45．論理回路（360）が、入力パラメーターに基づくものである出力電圧を有する可変分圧器を含む、項44の電力制御モジュール（630）。
【０１７６】
項46．フィードバックモジュール（652）がフィードバック回路（452）を含み、フィードバック回路（452）が、
第1の反転入力（456A）、第1の非反転入力（456B）、および第1の出力（456C）を含む第1のオペアンプ（456）であって、第1のオペアンプ（456）の第1の出力（456C）が第2の入力（784）に結合されており、第1のオペアンプ（456）の第1の反転入力（456A）が出力（786）に結合されている、第1のオペアンプ（456）と、
第2の反転入力（462A）、第2の非反転入力（462B）、および第2の出力（462C）を含む第2のオペアンプ（462）であって、第2のオペアンプ（462）の第2の出力（462C）が、出力（786）と第1のオペアンプ（456）の第1の非反転入力（456B）とに結合されており、第2のオペアンプ（462）の第2の反転入力（462A）が接地（464）に結合されている、第2のオペアンプ（462）と、
第1のオペアンプ（456）の第1の反転入力（456A）と第2のオペアンプ（462）の第2の反転入力（462A）とに結合された基準電圧源（466）であって、基準電圧源（466）が、第1の反転入力（456A）と第2の反転入力（462A）とに固定電圧を供給するように構成される、基準電圧源（466）と、
第2のオペアンプ（462）の第2の非反転入力（462B）に結合された論理回路（460）であって、論理回路（460）が、第2のオペアンプ（462）の第2の非反転入力（462B）に調整可能な基準電圧を供給するように構成され、論理回路（460）が、入力パラメーターに基づいて複数の基準電圧の中から調整可能な基準電圧を選択するように構成される、論理回路（460）と
を含む、項39から45のいずれか一項の電力制御モジュール。
【０１７７】
項47．時間間隔の第1の部分の間に力率改善回路（PFC）（130、230、330、430）から電力を受け取る入力（568）と、
時間間隔の第1の部分の間に入力（568）で受け取った電力を蓄積するエネルギー蓄積装置（570）と、
パルス幅変調器（PWM）（134）に結合される出力（572）であって、時間間隔の第2の部分の間に、時間間隔の第1の部分の間にエネルギー蓄積装置（570）に蓄積された電力を出力するように構成される、出力（572）と、
制御装置（136、636）から、エネルギー蓄積装置（570）の動作を制御する制御信号を受け取る制御端子（574）と
を含む、電力バッファ（128）。
【０１７８】
項48．エネルギー蓄積装置（570）が、PFC（130、230、330、430）からの直流（DC）電力として電力を受け取るように構成され、
電力バッファ（128）が複数の直流・直流変換器（132）をさらに含み、
直流・直流変換器（132）が、制御端子（574）で受け取った制御信号に基づいて、時間間隔の第2の部分の間に出力される電力の電気的パラメーターを調整するように構成される、項47の電力バッファ（128）。
【０１７９】
項49．複数の直流・直流変換器（132）が、第1の直流・直流変換器（132）および第2の直流・直流変換器（132）を含み、
第1の直流・直流変換器（132）が、直流電力を降圧するように構成され、
第2の直流・直流変換器（132）が、直流電力を昇圧するように構成される、項47または48の電力バッファ（128）。
【０１８０】
項50．制御信号が、電力バッファ（128）が電力を出力する負荷（610）の動作に関連した入力パラメーターを指示する、項47から49のいずれか一項の電力バッファ（128）。
【０１８１】
項51．制御装置（136、636）からのオーバーライド信号に応答して閉状態と開状態とを切り換えるように構成されたスイッチ（142A、142B、142C）
をさらに含み、
閉状態では、スイッチ（142A、142B、142C）が、エネルギー蓄積装置（570）に、PFC（130、230、330、430）から受け取った電力を供給するように構成され、
開状態では、スイッチ（142A、142B、142C）が、エネルギー蓄積装置（570）への、PFC（130、230、330、430）から受け取った電力の伝送を妨げるように構成される、項47から50のいずれか一項の電力バッファ（128）。
【０１８２】
様々な有利な構成の説明は例示と説明のために提示されており、網羅的であることも開示された形態の実施形態に限定することも意図されていない。多くの改変形態および変形形態が当業者には明らかであろう。さらに、様々な有利な実施形態は他の有利な実施形態と比較して異なる利点を説明している場合がある。選択された1つまたは複数の実施形態は、実施形態の原理、実際の応用を説明し、当業者が、企図される特定の用途に適する様々な改変を伴った様々な実施形態について本開示を理解することを可能にするために選択され、説明されている。
【０１８３】
上述した例では、光制御システム100は、作動時に紫外線を発する紫外線光源を含む。さらに別の、または代替の例では、光制御システム100は、他の周波数帯域で光を発することができる光源を含むこともできる。例えば、例では、光制御システム100は、指定された、または指定されない目標レベルまでの、消毒、衛生化または細菌、微生物、真菌、ウイルスの殺傷を目的として使用することができる光を発する光源を含むことができる。
【０１８４】
より一般的には、本開示は、高圧電源が利用できない環境において所望の品質または要求レベル内で動作するために高圧電源を必要とする任意の光源（紫外線または非紫外線）に電力供給することを可能にする。例えば、上述したように、本システムは、高圧電源の不足を克服するための電力バッファ機構を含むことができる。
【０１８５】
これに加えて、上述したように、電力バッファの効率的な動作を容易にし、かつ／または光源への十分な電力の供給を容易にするためのフィードバック機構および／または制御機構も記載されている。提案のフィードバック機構および／または制御機構はまた、経時的に、様々な状態の下で、かつ／または時間と共に様々なパラメーターが与えられる場合に、光源を所望の範囲内で動作させることもできる。
【符号の説明】
【０１８６】
100  光制御システム
110  紫外線光源
112  紫外線
114  電力変換器
116  電源
118  入力
120  出力
122  整流器
124  直流（DC）リンク
126  インバーター
128  電力バッファ
130  力率改善回路（PFC）
132  直流・直流変換器
134  パルス幅変調器（PWM）
136  制御装置
138  光センサー
140  トリガーセンサー
142A  スイッチ
142B  スイッチ
142C  スイッチ
230  PFC
244  PFC回路
246  第1のPFC入力
248  第2のPFC入力
250  PFC出力
252  フィードバック回路
254  信号調節回路
256  演算増幅器（オペアンプ）
256A  反転入力
256B  非反転入力
256C  出力
258  基準電圧源
330  PFC
344  PFC回路
346  第1のPFC入力
348  第2のPFC入力
350  PFC出力
352  フィードバック回路
354  信号調節回路
356  第1のオペアンプ
356A  第1の反転入力
356B  第1の非反転入力
356C  第1の出力
360  論理回路
362  第2のオペアンプ
362A  第2の反転入力
362B  第2の非反転入力
362C  第2の出力
364  接地
430  PFC
444  PFC回路
446  第1のPFC入力
448  第2のPFC入力
450  PFC出力
452  フィードバック回路
454  信号調節回路
456  第1のオペアンプ
456A  第1の反転入力
456B  第1の非反転入力
456C  第1の出力
460  論理回路
462  第2のオペアンプ
462A  第2の反転入力
462B  第2の非反転入力
462C  第2の出力
464  接地
466  基準電圧源
568  入力
570  エネルギー蓄積装置
572  出力
574  制御端子
600  システム
610  負荷
614  電力変換器
616  電源
618  入力
620  出力
628  第2の電力制御モジュール
630  第1の電力制御モジュール
634  第3の電力制御モジュール
636  制御装置
640  トリガーセンサー
652  第1のフィードバックモジュール
676  電力制御システム
678  センサー
680  負荷センサー
700  システム
782  第1の入力
784  第2の入力
786  出力
800  システム
852  第2のフィードバックモジュール
900  プロセス
【図１】
2019176719.tif 000003
【図２】
2019176719.tif 000004
【図３】
2019176719.tif 000005
【図４】
2019176719.tif 000006
【図５】
2019176719.tif 000007
【図６】
2019176719.tif 000008
【図７】
2019176719.tif 000009
【図８】
2019176719.tif 000010
【図９】
2019176719.tif 000011
【図１０】
2019176719.tif 000012
【図１１】
2019176719.tif 000013
【図１２】
2019176719.tif 000014
【図１３】
2019176719.tif 000015
【図１４】
2019176719.tif 000016
【図１５】
2019176719.tif 000017
【外国語明細書】
2019176719000001.pdf